(57)【要約】      （修正有）【課題】受信機における正確なチャネル推定を確実にしながら、シングルキャリア（ＳＣ）伝送モードと直交周波数分割多重化（ＯＦＤＭ）伝送モードの両方において使用するのに適したフレーム構造を生成するための方法を提供する。【解決手段】長さ２mの第１のゴレイ符号と、長さ２nの第２のゴレイ符号とを少なくとも備える、少なくとも長さ２m＋２nの少なくとも１つの拡張ゴレイ符号を獲得する（７０２）こと、およびこの少なくとも１つの拡張ゴレイ符号を使用してパケットを生成する（７０４）。【選択図】図７
2014060745.tif 000002
【特許請求の範囲】
【請求項１】
長さ２mの第１のゴレイ符号と、長さ２nの第２のゴレイ符号とを少なくとも備える、少なくとも長さ２m＋２nの少なくとも１つの拡張ゴレイ符号を獲得すること、および
前記少なくとも１つの拡張ゴレイ符号を使用してパケットを生成することを備える無線通信のための方法。
【請求項２】
前記少なくとも１つの拡張ゴレイ符号を獲得することは、前記ゴレイ符号の少なくとも１つを生成するように構成された少なくとも１つの整合フィルタを使用することを備える請求項１に記載の方法。
【請求項３】
前記少なくとも１つの拡張ゴレイ符号を獲得することは、メモリから前記少なくとも１つの拡張ゴレイ符号を取り出すことを備える請求項１に記載の方法。
【請求項４】
前記少なくとも１つの拡張ゴレイ符号を獲得することは、装置から前記少なくとも１つの拡張ゴレイ符号を受け取ることを備える請求項１に記載の方法。
【請求項５】
前記第１のゴレイ符号は、前記第２のゴレイ符号の前に付加される請求項１に記載の方法。
【請求項６】
前記パケットの前記生成は、前記パケットのヘッダフィールドまたはペイロードフィールドのうち少なくとも１つのデータを拡散させるように前記少なくとも１つの拡張ゴレイ符号を使用することを備える請求項１に記載の方法。
【請求項７】
前記パケットは、前記少なくとも１つの拡張ゴレイ符号が中に挿入されているプリアンブルを備える請求項１に記載の方法。
【請求項８】
前記プリアンブルの同期フィールド、開始フレーム区切り記号フィールド、またはチャネル推定フィールドのうち少なくとも１つは、前記少なくとも１つの拡張ゴレイ符号を備える請求項７に記載の方法。
【請求項９】
前記パケットのヘッダフィールドまたはペイロードフィールドのうち少なくとも１つの中に前記少なくとも１つの拡張ゴレイ符号を挿入することをさらに備える請求項１に記載の方法。
【請求項１０】
前記少なくとも１つの拡張ゴレイ符号は、異なる長さ、または同一の長さを有する少なくとも２つの拡張ゴレイ符号を備える請求項１に記載の方法。
【請求項１１】
前記少なくとも１つの拡張ゴレイ符号は、相補的である少なくとも２つの拡張ゴレイ符号を備える請求項１に記載の方法。
【請求項１２】
長さ２mの第１のゴレイ符号と、長さ２nの第２のゴレイ符号とを少なくとも備える、少なくとも長さ２m＋２nの少なくとも１つの拡張ゴレイ符号を獲得するように構成されたモジュールと、
前記少なくとも１つの拡張ゴレイ符号を使用してパケットを生成するように構成されたジェネレータとを備える無線通信のための装置。
【請求項１３】
前記モジュールは、前記ゴレイ符号の少なくとも１つを生成するように構成された少なくとも１つの整合フィルタを使用するようにも構成される請求項１２に記載の装置。
【請求項１４】
前記モジュールは、メモリから前記少なくとも１つの拡張ゴレイ符号を取り出すようにも構成される請求項１２に記載の装置。
【請求項１５】
前記モジュールは、別の装置から前記少なくとも１つの拡張ゴレイ符号を受け取るようにも構成される請求項１２に記載の装置。
【請求項１６】
前記第１のゴレイ符号は、前記第２のゴレイ符号の前に付加される請求項１２に記載の装置。
【請求項１７】
前記ジェネレータは、前記パケットのヘッダフィールドまたはペイロードフィールドのうち少なくとも１つのデータを拡散させるように前記少なくとも１つの拡張ゴレイ符号を使用するようにも構成される請求項１２に記載の装置。
【請求項１８】
前記パケットは、前記少なくとも１つの拡張ゴレイ符号が中に挿入されているプリアンブルを備える請求項１２に記載の装置。
【請求項１９】
前記プリアンブルの同期フィールド、開始フレーム区切り記号フィールド、またはチャネル推定フィールドのうち少なくとも１つは、前記少なくとも１つの拡張ゴレイ符号を備える請求項１８に記載の装置。
【請求項２０】
前記パケットのヘッダフィールドまたはペイロードフィールドのうち少なくとも１つの中に前記少なくとも１つの拡張ゴレイ符号を挿入するように構成された回路をさらに備える請求項１２に記載の装置。
【請求項２１】
前記少なくとも１つの拡張ゴレイ符号は、異なる長さ、または同一の長さを有する少なくとも２つの拡張ゴレイ符号を備える請求項１２に記載の装置。
【請求項２２】
前記少なくとも１つの拡張ゴレイ符号は、相補的である少なくとも２つの拡張ゴレイ符号を備える請求項１２に記載の装置。
【請求項２３】
長さ２mの第１のゴレイ符号と、長さ２nの第２のゴレイ符号とを少なくとも備える、少なくとも長さ２m＋２nの少なくとも１つの拡張ゴレイ符号を獲得するための手段と、
前記少なくとも１つの拡張ゴレイ符号を使用してパケットを生成するための手段とを備える無線通信のための装置。
【請求項２４】
前記少なくとも１つの拡張ゴレイ符号を獲得するための手段は、前記ゴレイ符号の少なくとも１つを生成するように構成された少なくとも１つの整合フィルタを使用するための手段を備える請求項２３に記載の装置。
【請求項２５】
前記少なくとも１つの拡張ゴレイ符号を獲得するための手段は、メモリから前記少なくとも１つの拡張ゴレイ符号を取り出すための手段を備える請求項２３に記載の装置。
【請求項２６】
前記少なくとも１つの拡張ゴレイ符号を獲得するための手段は、装置から前記少なくとも１つの拡張ゴレイ符号を受け取るための手段を備える請求項２３に記載の装置。
【請求項２７】
前記第１のゴレイ符号は、前記第２のゴレイ符号の前に付加される請求項２３に記載の装置。
【請求項２８】
前記パケットを前記生成するための手段は、前記パケットのヘッダフィールドまたはペイロードフィールドのうち少なくとも１つのデータを拡散させるように前記少なくとも１つの拡張ゴレイ符号を使用するための手段を備える請求項２３に記載の装置。
【請求項２９】
前記パケットは、前記少なくとも１つの拡張ゴレイ符号が中に挿入されているプリアンブルを備える請求項２３に記載の装置。
【請求項３０】
前記プリアンブルの同期フィールド、開始フレーム区切り記号フィールド、またはチャネル推定フィールドのうち少なくとも１つは、前記少なくとも１つの拡張ゴレイ符号を備える請求項２９に記載の装置。
【請求項３１】
前記パケットのヘッダフィールドまたはペイロードフィールドのうち少なくとも１つの中に前記少なくとも１つの拡張ゴレイ符号を挿入するための手段をさらに備える請求項２３に記載の装置。
【請求項３２】
前記少なくとも１つの拡張ゴレイ符号は、異なる長さ、または同一の長さを有する少なくとも２つの拡張ゴレイ符号を備える請求項２３に記載の装置。
【請求項３３】
前記少なくとも１つの拡張ゴレイ符号は、相補的である少なくとも２つの拡張ゴレイ符号を備える請求項２３に記載の装置。
【請求項３４】
長さ２mの第１のゴレイ符号と、長さ２nの第２のゴレイ符号とを少なくとも備える、少なくとも長さ２m＋２nの少なくとも１つの拡張ゴレイ符号を獲得し、さらに
前記少なくとも１つの拡張ゴレイ符号を使用してパケットを生成するように実行可能な命令を備えるコンピュータ可読媒体を備える無線通信のためのコンピュータプログラム製品。
【請求項３５】
少なくとも１つのアンテナと、
長さ２mの第１のゴレイ符号と、長さ２nの第２のゴレイ符号とを少なくとも備える、少なくとも長さ２m＋２nの少なくとも１つの拡張ゴレイ符号を獲得するように構成されたモジュールと、
前記少なくとも１つの拡張ゴレイ符号を使用してパケットを生成するように構成されたジェネレータと、
前記生成されたパケットを、前記少なくとも１つのアンテナを介して送信するように構成された送信機とを備える無線ノード。
【請求項３６】
ゴレイ相補符号のペアから定義されるパターンを備えるチャネル推定（ＣＥ）フィールドを備えるプリアンブルを生成すること、
前記プリアンブルをデータペイロードの前に付加すること、および
前記プリアンブルと、前記データペイロードとを内部に有するパケットを送信することを備える無線通信のための方法。
【請求項３７】
前記生成することは、前記パターンを、定義された４つのパターンのセットから選択することを備え、前記ゴレイ相補符号は、１２８チップという長さを有し、さらに前記ＣＥフィールドは、２５６チップの持続時間にわたってチャネル推定を可能にする請求項３６に記載の方法。
【請求項３８】
前記生成することは、前記パターンを、定義された１６のパターンのセットから選択することを備え、前記ゴレイ相補符号は、１２８チップという長さを有し、さらに前記ＣＥフィールドは、５１２チップの持続時間にわたってチャネル推定を可能にする請求項３６に記載の方法。
【請求項３９】
前記プリアンブルは、ゴレイ相補符号の前記ペアから生成された同期（ＳＹＮＣ）フィールドを備える請求項３６に記載の方法。
【請求項４０】
ゴレイ相補符号のペアから定義されるパターンを備えるチャネル推定（ＣＥ）フィールドを備えるプリアンブルを生成するように構成されたジェネレータと、
前記プリアンブルをデータペイロードの前に付加するように構成された回路と、
前記プリアンブルと、前記データペイロードとを内部に有するパケットを送信するように構成された送信機とを備える無線通信のための装置。
【請求項４１】
前記ジェネレータは、前記パターンを、定義された４つのパターンのセットから選択するようにも構成され、前記ゴレイ相補符号は、１２８チップという長さを有し、さらに前記ＣＥフィールドは、２５６チップの持続時間にわたってチャネル推定を可能にする請求項４０に記載の装置。
【請求項４２】
前記ジェネレータは、前記パターンを、定義された１６のパターンのセットから選択するようにも構成され、前記ゴレイ相補符号は、１２８チップという長さを有し、さらに前記ＣＥフィールドは、５１２チップの持続時間にわたってチャネル推定を可能にする請求項４０に記載の装置。
【請求項４３】
前記プリアンブルは、ゴレイ相補符号の前記ペアから生成された同期（ＳＹＮＣ）フィールドを備える請求項４０に記載の装置。
【請求項４４】
ゴレイ相補符号のペアから定義されるパターンを備えるチャネル推定（ＣＥ）フィールドを備えるプリアンブルを生成するための手段と、
前記プリアンブルをデータペイロードの前に付加するための手段と、
前記プリアンブルと、前記データペイロードとを内部に有するパケットを送信するための手段とを備える無線通信のための装置。
【請求項４５】
前記生成することは、前記パターンを、定義された４つのパターンのセットから選択するための手段を備え、前記ゴレイ相補符号は、１２８チップという長さを有し、さらに前記ＣＥフィールドは、２５６チップの持続時間にわたってチャネル推定を可能にする請求項４４に記載の装置。
【請求項４６】
前記生成することは、前記パターンを、定義された１６のパターンのセットから選択するための手段を備え、前記ゴレイ相補符号は、１２８チップという長さを有し、さらに前記ＣＥフィールドは、５１２チップの持続時間にわたってチャネル推定を可能にする請求項４４に記載の装置。
【請求項４７】
前記プリアンブルは、ゴレイ相補符号の前記ペアから生成された同期（ＳＹＮＣ）フィールドを備える請求項４４に記載の装置。
【請求項４８】
ゴレイ相補符号のペアから定義されるパターンを備えるチャネル推定（ＣＥ）フィールドを備えるプリアンブルを生成し、
前記プリアンブルをデータペイロードの前に付加し、さらに
前記プリアンブルと、前記データペイロードとを内部に有するパケットを送信するように実行可能な命令を備えるコンピュータ可読媒体を備える無線通信のためのコンピュータプログラム製品。
【請求項４９】
少なくとも１つのアンテナと、
ゴレイ相補符号のペアから定義されるパターンを備えるチャネル推定（ＣＥ）フィールドを備えるプリアンブルを生成するように構成されたジェネレータと、
前記プリアンブルをデータペイロードの前に付加するように構成された回路と、
前記プリアンブルと、前記データペイロードとを内部に有するパケットを、前記少なくとも１つのアンテナを介して送信するように構成された送信機とを備える無線ノード。
【請求項５０】
ゴレイ相補符号のペアを使用することによって構築された、無線チャネルを介して送信されたチャネル推定（ＣＥ）フィールドを受信すること、
前記受信されたＣＥフィールドを、ゴレイ相補符号の前記ペアに関連する整合フィルタを使用することによって処理して、第１のフィルタ出力および第２のフィルタ出力を獲得すること、および
前記第１のフィルタ出力と前記第２のフィルタ出力とを組み合わせることによって、前記無線チャネルを推定することを備える無線通信のための方法。
【請求項５１】
前記無線チャネルを推定することは、前記第１のフィルタ出力の高速フーリエ変換（ＦＦＴ）と前記第２のフィルタ出力のＦＦＴを組み合わせることを備える請求項５０に記載の方法。
【請求項５２】
ゴレイ相補符号のペアを使用することによって構築された、無線チャネルを介して送信されたチャネル推定（ＣＥ）フィールドを受信するように構成された受信機と、
前記受信されたＣＥフィールドを、ゴレイ相補符号の前記ペアに関連する整合フィルタを使用することによって処理して、第１のフィルタ出力および第２のフィルタ出力を獲得するように構成されたプロセッサと、
前記第１のフィルタ出力と前記第２のフィルタ出力とを組み合わせることによって、前記無線チャネルを推定するように構成されたエスティメータとを備える無線通信のための装置。
【請求項５３】
前記エスティメータは、前記第１のフィルタ出力の高速フーリエ変換（ＦＦＴ）と前記第２のフィルタ出力のＦＦＴを組み合わせるようにも構成される請求項５２に記載の装置。
【請求項５４】
ゴレイ相補符号のペアを使用することによって構築された、無線チャネルを介して送信されたチャネル推定（ＣＥ）フィールドを受信するための手段と、
前記受信されたＣＥフィールドを、ゴレイ相補符号の前記ペアに関連する整合フィルタを使用することによって処理して、第１のフィルタ出力および第２のフィルタ出力を獲得するための手段と、
前記第１のフィルタ出力と前記第２のフィルタ出力とを組み合わせることによって、前記無線チャネルを推定するための手段とを備える無線通信のための装置。
【請求項５５】
前記無線チャネルを前記推定するための手段は、前記第１のフィルタ出力の高速フーリエ変換（ＦＦＴ）と前記第２のフィルタ出力のＦＦＴを組み合わせるための手段を備える請求項５４に記載の装置。
【請求項５６】
ゴレイ相補符号のペアを使用することによって構築された、無線チャネルを介して送信されたチャネル推定（ＣＥ）フィールドを受信し、
前記受信されたＣＥフィールドを、ゴレイ相補符号の前記ペアに関連する整合フィルタを使用することによって処理して、第１のフィルタ出力および第２のフィルタ出力を獲得し、さらに
前記第１のフィルタ出力と前記第２のフィルタ出力とを組み合わせることによって、前記無線チャネルを推定するように実行可能な命令を備えるコンピュータ可読媒体を備える無線通信のためのコンピュータプログラム製品。
【請求項５７】
少なくとも１つのアンテナと、
ゴレイ相補符号のペアを使用することによって構築された、無線チャネルを介して送信されたチャネル推定（ＣＥ）フィールドを、前記少なくとも１つのアンテナを介して受信するように構成された受信機と、
前記受信されたＣＥフィールドを、ゴレイ相補符号の前記ペアに関連する整合フィルタを使用することによって処理して、第１のフィルタ出力および第２のフィルタ出力を獲得するように構成されたプロセッサと、
前記第１のフィルタ出力と前記第２のフィルタ出力とを組み合わせることによって、前記無線チャネルを推定するように構成されたエスティメータとを備える無線ノード。
【発明の詳細な説明】
【技術分野】
【０００１】
（米国特許法第１１９条の下における優先権の主張）
本特許出願は、本特許出願の譲受人に譲渡され、参照により本明細書に明確に組み込まれている、２００８年１０月７日に出願した米国特許仮出願第６１／１０３，５０３号の利益を主張するものである。
【０００２】
本開示のいくつかの態様は、一般に、無線通信に関し、より詳細には、拡張ゴレイ符号の生成、ならびにシングルキャリア伝送および直交周波数分割多重化（ＯＦＤＭ）伝送のためのパケットの様々なフィールドにおける使用に関する。
【背景技術】
【０００３】
ミリメートル波通信は、約６０ＧＨｚのキャリア周波数が利用される通信である。デュアルモードミリメートル波物理層（ＰＨＹ）が、共通モード（ＣＭ）伝送を使用することによって、シングルキャリア（ＳＣ）変調および直交周波数分割多重化（ＯＦＤＭ）変調をサポートすることができる。
【０００４】
ＣＭは、ビーコン発信（beaconing）、ネットワーク制御シグナリング、および基本レートデータ通信のためにＳＣベースのデバイスとＯＦＤＭベースのデバイスの両方によって使用されるシングルキャリアモードである。ＣＭは、通常、異なるデバイス間、および異なるネットワーク間の相互運用性のために使用され得る。しかし、ＳＣ伝送モードのフレーム構造は、ＯＦＤＭ伝送モードのフレーム構造とは実質的に異なり、このことが、ＳＣデバイスおよびＳＣネットワークとＯＦＤＭデバイスおよびＯＦＤＭデバイスの間の相互運用性のレベルを制限する。
【０００５】
本開示は、受信機側における正確なチャネル推定を確実にしながら、ＳＣ変調された伝送信号とＯＦＤＭ変調された伝送信号の両方によって使用されるのに適したフレーム構造の生成を提案する。
【発明の概要】
【０００６】
いくつかの態様は、無線通信のための方法を提供する。この方法は、一般に、長さ２mの第１のゴレイ符号と、長さ２nの第２のゴレイ符号とを少なくとも備える、少なくとも長さ２m＋２nの少なくとも１つの拡張ゴレイ符号を獲得すること、およびこの少なくとも１つの拡張ゴレイ符号を使用してパケットを生成することを備える。
【０００７】
いくつかの態様は、無線通信のための装置を提供する。この装置は、一般に、長さ２mの第１のゴレイ符号と、長さ２nの第２のゴレイ符号とを少なくとも備える、少なくとも長さ２m＋２nの少なくとも１つの拡張ゴレイ符号を獲得するように構成されたモジュールと、この少なくとも１つの拡張ゴレイ符号を使用してパケットを生成するように構成されたジェネレータとを含む。
【０００８】
いくつかの態様は、無線通信のための装置を提供する。この装置は、一般に、長さ２mの第１のゴレイ符号と、長さ２nの第２のゴレイ符号とを少なくとも備える、少なくとも長さ２m＋２nの少なくとも１つの拡張ゴレイ符号を獲得するための手段と、この少なくとも１つの拡張ゴレイ符号を使用してパケットを生成するための手段とを含む。
【０００９】
いくつかの態様は、無線通信のためのコンピュータプログラム製品を提供する。このコンピュータプログラム製品は、長さ２mの第１のゴレイ符号と、長さ２nの第２のゴレイ符号とを少なくとも備える、少なくとも長さ２m＋２nの少なくとも１つの拡張ゴレイ符号を獲得し、さらにこの少なくとも１つの拡張ゴレイ符号を使用してパケットを生成するように実行可能な命令を備えるコンピュータ可読媒体を含む。
【００１０】
いくつかの態様は、無線ノードを提供する。この無線ノードは、一般に、少なくとも１つのアンテナと、長さ２mの第１のゴレイ符号と、長さ２nの第２のゴレイ符号とを少なくとも備える、少なくとも長さ２m＋２nの少なくとも１つの拡張ゴレイ符号を獲得するように構成されたモジュールと、この少なくとも１つの拡張ゴレイ符号を使用してパケットを生成するように構成されたジェネレータと、この生成されたパケットを、その少なくとも１つのアンテナを介して送信するように構成された送信機とを含む。
【００１１】
いくつかの態様は、無線通信のための方法を提供する。この方法は、一般に、ゴレイ相補符号のペアから定義されるパターンを備えるチャネル推定（ＣＥ）フィールドを備えるプリアンブルを生成すること、このプリアンブルをデータペイロードの前に付加すること、およびこのプリアンブルと、このデータペイロードとを内部に有するパケットを送信することを含む。
【００１２】
いくつかの態様は、無線通信のための装置を提供する。この装置は、一般に、ゴレイ相補符号のペアから定義されるパターンを備えるチャネル推定（ＣＥ）フィールドを備えるプリアンブルを生成するように構成されたジェネレータと、このプリアンブルをデータペイロードの前に付加するように構成された回路と、このプリアンブルと、このデータペイロードとを内部に有するパケットを送信するように構成された送信機とを含む。
【００１３】
いくつかの態様は、無線通信のための装置を備える。この装置は、一般に、ゴレイ相補符号のペアから定義されるパターンを備えるチャネル推定（ＣＥ）フィールドを備えるプリアンブルを生成するための手段と、このプリアンブルをデータペイロードの前に付加するための手段と、このプリアンブルと、このデータペイロードとを内部に有するパケットを送信するように構成された送信機とを含む。
【００１４】
いくつかの態様は、無線通信のためのコンピュータプログラム製品を提供する。このコンピュータプログラム製品は、ゴレイ相補符号のペアから定義されるパターンを備えるチャネル推定（ＣＥ）フィールドを備えるプリアンブルを生成し、このプリアンブルをデータペイロードの前に付加し、このプリアンブルと、このデータペイロードとを内部に有するパケットを送信するように実行可能な命令を備えるコンピュータ可読媒体を含む。
【００１５】
いくつかの態様は、無線ノードを提供する。この無線ノードは、一般に、少なくとも１つのアンテナと、ゴレイ相補符号のペアから定義されるパターンを備えるチャネル推定（ＣＥ）フィールドを備えるプリアンブルを生成するように構成されたジェネレータと、このプリアンブルをデータペイロードの前に付加するように構成された回路と、このプリアンブルと、このデータペイロードとを内部に有するパケットを、その少なくとも１つのアンテナを介して送信するように構成された送信機とを含む。
【００１６】
いくつかの態様は、無線通信のための方法を提供する。この方法は、一般に、ゴレイ相補符号のペアを使用することによって構築された、無線チャネルを介して送信されたチャネル推定（ＣＥ）フィールドを受信すること、受信されたＣＥフィールドを、ゴレイ相補符号のそのペアに関連する整合フィルタを使用することによって処理して、第１のフィルタ出力および第２のフィルタ出力を獲得すること、および第１のフィルタ出力と第２のフィルタ出力とを組み合わせることによって、その無線チャネルを推定することを含む。
【００１７】
いくつかの態様は、無線通信のための装置を提供する。この装置は、一般に、ゴレイ相補符号のペアを使用することによって構築された、無線チャネルを介して送信されたチャネル推定（ＣＥ）フィールドを受信するように構成された受信機と、受信されたＣＥフィールドを、ゴレイ相補符号のそのペアに関連する整合フィルタを使用することによって処理して、第１のフィルタ出力および第２のフィルタ出力を獲得するように構成されたプロセッサと、第１のフィルタ出力と第２のフィルタ出力とを組み合わせることによって、その無線チャネルを推定するように構成されたエスティメータとを含む。
【００１８】
いくつかの態様は、無線通信のための装置を提供する。この装置は、一般に、ゴレイ相補符号のペアを使用することによって構築された、無線チャネルを介して送信されたチャネル推定（ＣＥ）フィールドを受信するための手段と、受信されたＣＥフィールドを、ゴレイ相補符号のそのペアに関連する整合フィルタを使用することによって処理して、第１のフィルタ出力および第２のフィルタ出力を獲得するための手段と、第１のフィルタ出力と第２のフィルタ出力とを組み合わせることによって、その無線チャネルを推定するための手段とを含む。
【００１９】
いくつかの態様は、無線通信のためのコンピュータプログラム製品を提供する。このコンピュータプログラム製品は、ゴレイ相補符号のペアを使用することによって構築された、無線チャネルを介して送信されたチャネル推定（ＣＥ）フィールドを受信し、受信されたＣＥフィールドを、ゴレイ相補符号のそのペアに関連する整合フィルタを使用することによって処理して、第１のフィルタ出力および第２のフィルタ出力を獲得し、さらに第１のフィルタ出力と第２のフィルタ出力とを組み合わせることによって、その無線チャネルを推定するように動作可能な命令を備えるコンピュータ可読媒体を含む。
【００２０】
いくつかの態様は、無線ノードを提供する。この無線ノードは、一般に、少なくとも１つのアンテナと、ゴレイ相補符号のペアを使用することによって構築された、無線チャネルを介して送信されたチャネル推定（ＣＥ）フィールドを、その少なくとも１つのアンテナを介して受信するように構成された受信機と、受信されたＣＥフィールドを、ゴレイ相補符号のそのペアに関連する整合フィルタを使用することによって処理して、第１のフィルタ出力および第２のフィルタ出力を獲得するように構成されたプロセッサと、第１のフィルタ出力と第２のフィルタ出力とを組み合わせることによって、その無線チャネルを推定するように構成されたエスティメータとを含む。
【００２１】
本開示の前述した特徴が詳細に理解され得るように、前段で簡単に要約される、より詳細な説明が、添付の図面に一部が示される、いくつかの態様を参照して得られることが可能である。しかし、添付の図面は、本開示のいくつかの通常の態様だけを示し、したがって、同様に効果的な態様にもこの説明が適用され得るので、本開示の範囲を限定するものと考えられるべきでないことに留意されたい。
【図面の簡単な説明】
【００２２】
【図１】本開示のいくつかの態様による例示的な無線通信システムを示す図。
【図２】本開示のいくつかの態様による無線デバイスにおいて利用され得る様々な構成要素を示す図。
【図３】本開示のいくつかの態様による無線通信システム内で使用され得る例示的な送信機を示す図。
【図４】本開示のいくつかの態様による無線通信システム内で使用され得る例示的な受信機を示す図。
【図５】本開示のいくつかの態様による図４の受信機内で使用され得る拡張ゴレイ整合フィルタの例を示す図。
【図６】本開示のいくつかの態様による図４の受信機内で使用され得る拡張ゴレイ整合フィルタの別の例を示す図。
【図７】本開示のいくつかの態様による伝送パケット内で使用するための拡張ゴレイ符号を設計するための例示的な動作を示す図。
【図７Ａ】図７に示される動作を実行することができる例示的な構成要素を示す図。
【図８】本開示のいくつかの態様によるミリメートル波通信システムに関する標準フレームフォーマットの例を示す図。
【図９】本開示のいくつかの態様によるフレームのプリアンブル内で使用され得るチャネル推定（ＣＥ）フィールドの例を示す図。
【図１０】本開示のいくつかの態様による図４の受信機内で使用され得るＣＥフィールドを処理するための例示的な回路を示す図。
【図１１】本開示のいくつかの態様による長いＣＥフィールドの例を示す図。
【図１２】本開示のいくつかの態様による短いＣＥフィールドを有するプリアンブルフォーマットの例を示す図。
【図１３】本開示のいくつかの態様による短いＣＥフィールドを有するプリアンブルフォーマットの別の例を示す図。
【図１４】本開示のいくつかの態様による中央に位置付けされたタップを有するクロネッカー符号の例を示す図。
【図１５】本開示のいくつかの態様による単一パスに関するチャネル推定の例を示す図。
【図１６】本開示のいくつかの態様によるシングルキャリア（ＳＣ）伝送モードのために使用されることも可能な直交周波数分割多重化（ＯＦＤＭ）伝送モードのためのプリアンブル構造の例を示す図。
【図１７】本開示のいくつかの態様による伝送フレーム内のプリアンブル構造を設計するための例示的な動作を示す図。
【図１７Ａ】図１７に示される動作を実行することができる例示的な構成要素を示す図。
【図１８】本開示のいくつかの態様によるチャネル推定を獲得するように、受信されたＣＥ系列を処理するための例示的な動作を示す図。
【図１８Ａ】図１８に示される動作を実行することができる例示的な構成要素を示す図。
【発明を実施するための形態】
【００２３】
本開示の様々な態様が、添付の図面を参照して以下により完全に説明される。しかし、本開示は、多くの異なる形態で実施されることが可能であり、本開示の全体にわたって提示されるいずれの特定の構造または機能にも限定されると解釈されてはならない。むしろ、これらの態様は、本開示が徹底的で、完全であるように与えられ、本開示の範囲を当業者に完全に伝える。本明細書の教示に基づいて、本発明の範囲は、独立で実施されるか、本開示の他の任意の態様と組合せで実施されるかにかかわらず、本明細書で開示される開示の任意の態様を範囲に含むことを意図していることが、当業者には認識されよう。例えば、本明細書で説明される態様をいくつであれ使用して、装置が実施されることが可能であり、あるいは方法が実施されることが可能である。さらに、本開示の範囲は、本明細書で説明される開示の様々な態様に加えて、またはそれらの態様以外に、他の構造、機能、または構造と機能を使用して実施されるような装置または方法を範囲に含むことを意図している。本明細書で開示される開示の任意の態様が、請求項の１つまたは複数の要素によって実施され得ることを理解されたい。
【００２４】
「例示的な」という語は、「例、実例、または例示の役割をする」を意味するように本明細書で使用される。本明細書で「例示的な」と説明されるいずれの態様も、必ずしも、他の態様より好ましい、または有利であると解釈されるべきではない。
【００２５】
本明細書の教示は、様々な有線装置または無線装置（例えば、ノード）に組み込まれる（例えば、そのような装置内に実装される、またはそのような装置によって実行される）ことが可能である。一部の態様において、本明細書の教示に従って実施される無線ノードは、アクセスポイント、またはアクセス端末装置、またはピコネットコントローラ、あるいは他のタイプの無線デバイスを備えることが可能である。
【００２６】
アクセスポイント（「ＡＰ」）は、ＮｏｄｅＢ、無線ネットワークコントローラ（「ＲＮＣ」）、ｅＮｏｄｅＢ、基地局コントローラ（「ＢＳＣ」）、基地トランシーバ局（「ＢＴＳ」）、基地局（「ＢＳ」）、トランシーバ機能（「ＴＦ」）、無線ルータ、無線トランシーバ、基本サービスセット（「ＢＳＳ」）、拡張サービスセット（「ＥＳＳ」）、無線基地局（「ＲＢＳ」）を備える、または以上のものとして実施される、あるいは以上の用語、および他の何らかの用語で知られることが可能である。
【００２７】
アクセス端末装置（「ＡＴ」）は、アクセス端末装置、加入者局、加入者ユニット、移動局、遠隔局、遠隔端末装置、ユーザ端末装置、ユーザエージェント、ユーザデバイス、ユーザ機器を備える、または以上のものとして実施される、あるいは以上の用語、および他の何らかの用語で知られることが可能である。一部の実施形態において、アクセス端末装置は、セルラ電話機、コードレス電話機、セッション開始プロトコル（「ＳＩＰ」）電話機、無線ローカルループ（「ＷＬＬ」）局、携帯情報端末（「ＰＤＡ」）、無線接続能力を有するハンドヘルドデバイス、あるいは無線モデムに接続された他の何らかの適切な処理デバイスを備えることが可能である。したがって、本明細書で教示される１つまたは複数の態様は、電話機（例えば、セルラ電話機またはスマートフォン）、コンピュータ（例えば、ラップトップ）、ポータブル通信デバイス、ポータブルコンピューティングデバイス（例えば、携帯情報端末）、エンターテイメントデバイス（例えば、音楽デバイスもしくはビデオデバイス、または衛星ラジオ）、グローバルポジショニングシステム、あるいは無線媒体もしくは有線媒体を介して通信するように構成された他の任意の適切なデバイスに組み込まれることが可能である。
【００２８】
特定の態様が本明細書で説明されるものの、これらの態様の多くの変種および置換が、本開示の範囲に含まれる。好ましい態様のいくつかの利益および利点が言及されるものの、本開示の範囲は、特定の利益、用途、または目的に限定されることを意図していない。むしろ、本開示の態様は、図、ならびに好ましい態様の以下の説明において一部が、例として示される、様々な無線技術、システム構成、ネットワーク、および伝送プロトコルに広く適用可能であることが意図される。詳細な説明、および図面は、限定するものではなく、開示を単に例示するものであり、本開示の範囲は、添付の特許請求の範囲、および均等の範囲によって規定される。
【００２９】
（例示的な無線通信システム）
本明細書で説明される技術は、シングルキャリア伝送に基づく通信システムを含め、様々なブロードバンド無線通信システムのために使用されることが可能である。本明細書で開示される態様は、ミリメートル波信号を含む超広帯域（ＵＷＢ）信号を使用するシステムに有利であり得る。しかし、他の符号化された信号も同様の利点から利益を得ることができるので、本開示は、そのようなシステムに限定されることを意図していない。
【００３０】
図１は、本開示の態様が使用され得る無線通信システム１００の例を示す。無線通信システム１００は、ブロードバンド無線通信システムであることが可能である。無線通信システム１００は、基地局１０４によるサービスをそれぞれが受ける、いくつかのセル１０２に通信を提供することができる。基地局１０４は、ユーザ端末装置１０６と通信する固定局であることが可能である。基地局１０４は、代替として、アクセスポイント、ＮｏｄｅＢ、または他の何らかの用語で呼ばれることも可能である。無線通信システム１００内のセル１０２は、例えば、ピコネットコントローラなどの共通のコーディネータに対して単一の識別子を共有する、論理的に関連付けられた１つまたは複数のデバイスの集まりを備えるピコネットであることが可能である。
【００３１】
図１は、システム１００全体にわたって散らばった様々なユーザ端末装置１０６を示す。ユーザ端末装置１０６は、固定型（すなわち、据え置き型）であっても、移動型であってもよい。ユーザ端末装置１０６は、代替として、遠隔局、アクセス端末装置、端末装置、加入者ユニット、移動局、局、ユーザ機器などと呼ばれることも可能である。ユーザ端末装置１０６は、セルラ電話機、携帯情報端末（ＰＤＡ）、ハンドヘルドデバイス、無線モデム、ラップトップコンピュータ、パーソナルコンピュータなどの無線デバイスであることが可能である。
【００３２】
無線通信システム１００において基地局１０４とユーザ端末装置１０６の間で伝送するために様々なアルゴリズムおよび方法が使用されることが可能である。例えば、信号は、ＵＷＢ技術に準拠して基地局１０４とユーザ端末装置１０６の間で送受信されることが可能である。ＵＷＢ技術に準拠して信号が送受信される場合、無線通信システム１００は、ＵＷＢシステムと呼ばれることが可能である。
【００３３】
基地局１０４からユーザ端末装置１０６への伝送を円滑にする通信リンクは、ダウンリンク（ＤＬ）１０８と呼ばれることが可能であり、ユーザ端末装置１０６から基地局１０４への伝送を円滑にする通信リンクは、アップリンク（ＵＬ）１１０と呼ばれることが可能である。代替として、ダウンリンク１０８は、順方向リンクまたは順方向チャネルと呼ばれることも可能であり、アップリンク１１０は、逆方向リンクまたは逆方向チャネルと呼ばれることも可能である。
【００３４】
セル１０２は、複数のセクタ１１２に分割されることが可能である。セクタ１１２は、セル１０２内の物理的カバレッジエリアである。無線通信システム１００内の基地局１０４は、セル１０２の特定のセクタ１１２内に電力の流れを集中させるアンテナを利用することが可能である。そのようなアンテナは、指向性アンテナと呼ばれることが可能である。
【００３５】
図２は、無線通信システム１００内で使用され得る無線デバイス２０２において利用されることが可能である様々な構成要素を示す。無線デバイス２０２は、本明細書で説明される様々な方法を実施するように構成されることが可能なデバイスの例である。無線デバイス２０２は、基地局１０４またはユーザ端末装置１０６であることが可能である。
【００３６】
無線デバイス２０２は、無線デバイス２０２の動作を制御するプロセッサ２０４を含むことが可能である。プロセッサ２０４は、中央処理装置（ＣＰＵ）と呼ばれることも可能である。読取り専用メモリ（ＲＯＭ）とランダムアクセスメモリ（ＲＡＭ）をともに含むことが可能なメモリ２０６が、プロセッサに命令およびデータを供給する。また、メモリ２０６の一部分は、不揮発性ランダムアクセスメモリ（ＮＶＲＡＭ）を含むことも可能である。プロセッサ２０４は、通常、メモリ２０６内に格納されたプログラム命令に基づいて、論理演算および算術演算を実行する。メモリ２０６の中の命令は、本明細書で説明される方法を実施するように実行可能であり得る。
【００３７】
また、無線デバイス２０２は、無線デバイス２０２と遠隔ロケーションの間でデータを送受信することを可能にする送信機２１０と、受信機２１２とを含むことが可能な筐体２０８を含むことも可能である。送信機２１０と受信機２１２は、組み合わされて、トランシーバ２１４にされることが可能である。アンテナ２１６が、筐体２０８に取り付けられ、トランシーバ２１４に電気的に結合される。また、無線デバイス２０２は、複数の送信機、複数の受信機、複数のトランシーバ、および／または複数のアンテナを含む（図示されない）を含むことも可能である。
【００３８】
また、無線デバイス２０２は、トランシーバ２１４によって受信される信号を検出し、そのような信号のレベルを定量化しようとして使用されることが可能な信号検出器２１８を含むことも可能である。信号検出器２１８は、合計エネルギー、１つのシンボル当りの１つの副搬送波当りのエネルギー、電力スペクトル密度、およびその他の信号などの信号を検出することができる。また、無線デバイス２０２は、信号を処理する際に使用されるようにディジタル信号プロセッサ（ＤＳＰ）２２０を含むことも可能である。
【００３９】
無線デバイス２０２の様々な構成要素は、データバスに加えて、電源バス、制御信号バス、およびステータス信号バスを含むことが可能なバスシステム２２２によって一緒に結合されることが可能である。
【００４０】
図３は、シングルキャリア（ＳＣ）伝送技術、直交周波数分割多重化（ＯＦＤＭ）伝送技術、または他の何らかの伝送技術を利用する無線通信システム１００内で使用されることが可能な送信機３０２の例を示す。送信機３０２のいくつかの部分は、無線デバイス２０２の送信機２１０に実装されることが可能である。送信機３０２は、ユーザ端末装置１０６にデータ３０４を伝送するために基地局１０４に実装されることが可能である。また、送信機３０２は、アップリンクで基地局１０４にデータ３０４を送信するためにユーザ端末装置１０６に実装されることも可能である。
【００４１】
伝送されるべきデータ３０４は、マッパ３０６への入力として供給されることが図示される。マッパ３０６は、データストリーム３０４をコンステレーションポイント上にマップすることができる。このマッピングは、２位相偏移変調（ＢＰＳＫ）、４位相偏移変調（ＱＰＳＫ）、８位相偏移変調（８ＰＳＫ）、直角位相振幅変調（ＱＡＭ）などの、何らかの変調コンステレーションを使用して行われることが可能である。このため、マッパ３０６は、プリアンブル挿入ユニット３１０への入力を表すことが可能なシンボルストリーム３０８を出力することが可能である。
【００４２】
プリアンブル挿入ユニット３１０は、入力シンボルストリーム３０８の前にプリアンブル系列を挿入するために構成されることが可能であり、さらに対応するデータストリーム３１２を生成することができる。このプリアンブルは、受信機において知られていることが可能であり、さらに時間同期および周波数同期、チャネル推定、等化、ならびにチャネル復号のために利用されることが可能である。次に、プリアンブル挿入ユニット３１０の出力３１２は、無線周波数（ＲＦ）フロントエンド３１４によって、所望される送信周波数帯域にアップコンバートされることが可能である。次に、アンテナ３１６が、もたらされる信号３１８を無線チャネルを介して送信することが可能である。
【００４３】
図４は、シングルキャリア技術、または他の何らかの伝送技術を利用する無線デバイス２０２内で使用され得る受信機４０２の例を示す。受信機４０２のいくつかの部分は、無線デバイス２０２の受信機２１２に実装されることが可能である。受信機４０２は、ダウンリンク１０８で基地局１０４からデータ４０４を受信するためにユーザ端末装置１０６に実装されることが可能である。また、受信機４０２は、アップリンク１１０でユーザ端末装置１０６からデータ４０４を受信するために基地局１０４に実装されることも可能である。
【００４４】
信号４０４がアンテナ４０６によって受信されると、信号４０４は、ＲＦフロントエンド４０８によってベースバンド信号４１０にダウンコンバートされる。シングルキャリアデータ通信に関する受信された信号のフレームフォーマットは、通常、プリアンブルと、その後に続くデータ部分を備える。プリアンブル４１２の部分は、ユニット４１６によってチャネル推定のために使用されることが可能である。受信されたデータ４１４は、前もって計算されたチャネル推定４１８を使用して等化ユニット４２０によって処理されることが可能である。
【００４５】
ディマッパ４２４が、等化されたデータストリーム４２２を入力することが可能であり、さらに図３からのマッパ３０６によって実行されたシンボルマッピング動作の逆を実行して、その結果、データストリーム４２６を出力することが可能である。理想的には、このデータストリーム４２６は、図３に示されるとおり、送信機３０２に入力として供給されたデータ３０４に対応する。
【００４６】
本明細書で開示される態様は、ＩＥＥＥ８０２．１５．３ｃプロトコルやＶｅｒｙ  Ｈｉｇｈ  Ｔｈｒｏｕｇｈｐｕｔ  ６０（ＶＨＴ６０）プロトコルによって規定されるシステムなどの、６０ＧＨｚミリメートル波システムにおいて使用されるＳＣ信号およびＯＦＤＭ信号を使用する無線システムに有利であり得る。しかし、その他のアプリケーションが同様の利点から利益を得ることができるので、本開示は、そのようなシステムに限定されることを意図していない。
【００４７】
（拡張ゴレイ符号の設計）
本開示は、ゴレイ符号および拡張ゴレイ符号の生成、ならびにＳＣベースの伝送、およびＯＦＤＭベースの伝送のためのパケットの様々なフィールドにおける使用に関する。長さＮのゴレイ相補符号のペアが、遅延ベクトルＤ＝［Ｄ0  Ｄ1  ・・・  ＤM-1］、およびシードベクトルＷ＝［Ｗ0  Ｗ1  ・・・  ＷM-1］によって指定されることが可能であり、ただし、Ｎ＝２Mである。Ｄの要素はすべて異なることが可能であり、さらに値２0、２1、・・・、２M-1のセットから選択されることが可能である。Ｗの要素は、バイナリ値、すなわち、＋１または−１、あるいは直角位相値、すなわち、＋１、−１、＋ｊ、−ｊ、あるいは複素マルチレベル値であることが可能である。
【００４８】
本開示の一態様において、長さ２m＋２nの拡張ゴレイ符号が、長さ２mの第１のゴレイ符号を長さ２nの第２のゴレイ符号に付加することによって獲得されることが可能である。第１のゴレイ符号が第２のゴレイ符号の前に付加されることが可能であり、あるいは第２のゴレイ符号が第１のゴレイ符号の後ろに付加されることが可能である。
【００４９】
一例において、ゴレイ相補符号の或るペアが、長さ８チップであり、ａ(1)およびｂ(1)と表されることが可能である一方で、ゴレイ相補符号の別のペアが、長さ１６チップであり、ａ(2)およびｂ(2)と表されることが可能である。次に、長さ２４チップの相補ゴレイ符号ａ(3)およびｂ(3)のペアが、異なる多くの仕方で構築されることが可能である。例えば、ゴレイ符号ａ(3)は、ゴレイ符号ａ(1)をゴレイ符号ａ(2)の後ろに付加することによって構築されることが可能であり、ゴレイ符号ｂ(3)は、ゴレイ符号ｂ(1)をゴレイ符号ｂ(2)の後ろに付加することによって構築されることが可能である。拡張相補ゴレイ符号の別のセットが、ａ(1)をｂ(2)の後ろに、ｂ(1)をａ(2)の後ろに付加することによって構築されることが可能である。
【００５０】
また、任意の偶数長の拡張ゴレイ符号が、提案される方法を使用すること、および第１のゴレイ符号を別の拡張ゴレイ符号の後ろに付加することによって獲得されることが可能であることにも留意されたい。また、拡張ゴレイ符号は、２つより多くのゴレイ符号を付加することによって獲得されることも可能である。例えば、長さ２６チップのゴレイ符号が、それぞれ、長さ１６、８、および２の３つのゴレイ符号を互いに付加することによって獲得されることが可能である。
【００５１】
図５は、本開示のいくつかの態様による図４からの受信機４０２内で使用され得る拡張ゴレイ整合フィルタ４００を示す。フィルタ５００が、無線チャネルを介して前に送信された、受信された拡張ゴレイ符号ａ(3)＝［ａ(1) ａ(2)］およびｂ(3)＝［ｂ(1) ｂ(2)］に整合フィルタリングを実行するように適用されることが可能である。ゴレイ整合フィルタ５０２が相補ゴレイ符号（ａ(1)，ｂ(1)）に整合させられることが可能であり、ゴレイ整合フィルタ５０４が相補ゴレイ符号（ａ(2)，ｂ(2)）に整合させられることが可能である。拡張されたゴレイ符号５１４（すなわち、ａ(3)＝［ａ(1) ａ(2)］）が、受信機４０２において、整合フィルタ出力５０６と５１０を組み合わせることによって獲得されることが可能である一方で、拡張されたゴレイ符号５１６（すなわち、ｂ(3)＝［ｂ(1) ｂ(2)］）が、整合フィルタ出力５０８と５１２を組み合わせることによって獲得されることが可能である。
【００５２】
無線チャネルを介して送信された拡張ゴレイ符号を備える受信された信号である代わりに、入力信号５０１は、ディラック関数またはクロネッカー符号であってもよい。拡張ゴレイ整合フィルタ５００をディラックパルス信号またはクロネッカーパルス信号で励振することによって、フィルタ５００は、送信のための拡張ゴレイ符号系列５１４および５１６のジェネレータとなるように構成されることが可能であり、さらにフィルタ５００は、図３からの送信機３０２内で利用されることが可能である。
【００５３】
図６は、本開示のいくつかの態様による図４の受信機４０２内で使用され得る拡張ゴレイ整合フィルタ６００の別の例を示す。或る獲得される拡張ゴレイ符号系列６１０は、拡張ゴレイ符号ａ(3)＝［ａ(1) ａ(2)］に対応することが可能であり、別の獲得される拡張ゴレイ符号系列６１２は、拡張ゴレイ符号ｂ(3)＝［ｂ(1) ｂ(2)］に対応することが可能である。系列６１０は、相補ゴレイ符号の２つのペア（ａ(1)，ｂ(1)）および（ａ(2)，ｂ(2)）に整合させられた２つのゴレイ整合フィルタのブランチａ出力６０２と６０６を組み合わせることによって獲得されることが可能であり、系列６１２は、同一の２つのゴレイ整合フィルタのブランチｂ出力６０４と６０８を組み合わせることによって獲得されることが可能である。
【００５４】
図５からのフィルタ５００の場合と同様に、拡張ゴレイ整合フィルタ６００は、ディラック関数またはクロネッカー符号によって入力６０１において励振させられることが可能である。本開示のこの態様において、フィルタ６００は、送信のための拡張ゴレイ符号系列６１０および６１２のジェネレータとして構成されることが可能であり、さらにフィルタ６００は、図３からの送信機３０２内で利用されることが可能である。
【００５５】
送信のためのパケットは、プリアンブルと、データペイロードとを備えることが可能であり、拡張ゴレイ符号を使用することによって構築されることが可能である。拡張ゴレイ符号は、プリアンブルのフィールドのいずれかのフィールドの中で使用されても、プリアンブルのすべてのフィールドの中で使用されてもよい。また、拡張ゴレイ符号は、伝送パケットの少なくともヘッダ、またはデータペイロードに関する拡散符号として使用されることも可能である。さらに、拡張ゴレイ符号は、受信機において周波数領域処理を可能にするようにヘッダの中に、さらに／またはペイロードの中に挿入されてもよい。
【００５６】
拡張ゴレイ符号は、ミリメートル波フレームのすべてのフィールドの中で使用されることが可能である。これには、プリアンブルの同期（ＳＹＮＣ）フィールド、開始フレーム区切り記号（ＳＦＤ）フィールド、およびチャネル推定（ＣＥ）系列フィールドが含まれることが可能である。さらに、拡張ゴレイ符号は、ＳＦ伝送モードとＯＦＤＭ伝送モードの両方に関して、データのサブブロックの中のサイクリックプレフィックスとして使用されることも可能である。
【００５７】
本開示の一態様において、拡張ゴレイ符号は、メモリから拡張ゴレイ符号を取り出すことによって獲得されることが可能である。別の態様において、拡張ゴレイ符号は、適切に設計された回路を使用することによって生成されることが可能である。さらに別の態様において、拡張ゴレイ符号は、デバイスが別のデバイスから拡張ゴレイ符号を要求することによって獲得されることが可能である。
【００５８】
図７は、本開示のいくつかの態様による伝送パケット内で使用するための拡張ゴレイ符号を設計するための例示的な動作７００を示す。７０２で、長さ２mの第１のゴレイ符号と、長さ２nの第２のゴレイ符号とを少なくとも備える、少なくとも長さ２m＋２nの少なくとも１つの拡張ゴレイ符号が獲得されることが可能である。７０４で、伝送のためのパケットが、少なくとも１つの拡張ゴレイ符号を使用して生成されることが可能である。
【００５９】
（フレームおよびプリアンブルフォーマット）
図８は、本開示のいくつかの態様による、ＩＥＥＥ８０２．１５．３ｃ標準において採用されるもの、またはＩＥＥＥ８０２．１１標準の下でＶＨＴ６０プロトコルに関して採用されるものなどの、ミリメートル波通信システムにおいて使用される標準フレームフォーマット８００の例を示す。フレーム８００は、プリアンブル８０２と、ヘッダ８０４と、データペイロード８０６とを備えることが可能である。
【００６０】
プリアンブル８０２は、いくつかが一緒に組み合わされることも可能な、３つのフィールドから、通常、構築されることが可能である。同期（ＳＹＮＣ）フィールド８０８が、通常、アンテナおよび方向の選択、自動利得制御（ＡＧＣ）、自動周波数制御（ＡＦＣ）、およびパケット検出のために使用されることが可能である。開始フレーム区切り記号（ＳＦＤ）フィールド８１０が、ＳＹＮＣフィールド８０８の終わりを示すことが可能である。ＳＦＤフィールド８１０は、別個のフィールドではなく、ＳＹＮＣフィールド８０８の一部、またはチャネル推定（ＣＥ）フィールド８１２の一部であることも可能である。ＣＥフィールド８１２は、マルチパスチャネルタップを推定するように受信機側で利用されることも可能である。
【００６１】
６０ＧＨｚ搬送周波数に基づく通信を規定するミリメートル波標準は、様々な伝送モード、および様々なアプリケーションをサポートするためにデュアルモード物理層を指定する。シングルキャリア（ＳＣ）伝送モードは、通常、低電力低価格市場を的にする。他方、ＯＦＤＭ伝送モードは、通常、高パフォーマンス市場を的にする。ＯＦＤＭサンプリングレートは、ＳＣチップレートの１．５倍と指定されることが可能であり、ＯＦＤＭ伝送モードは、通常、サイズ５１２チップの高速フーリエ変換（ＦＦＴ）を使用することが可能である。
【００６２】
ＳＣ伝送モードとＯＦＤＭ伝送モードは、統一されたプリアンブルを共有することが可能である。代替として、各伝送モードは、その伝送モード独自のプリアンブルを有することが可能である。ＳＣ  ＣＥフィールドが、少なくとも２５６チップにわたって延びるマルチパスチャネルのチャネル推定を可能にする一方で、ＯＦＤＭ  ＣＥフィールドが、ＦＦＴサイズと合致する５１２チップにわたって延びるマルチパスチャネルのチャネル推定を可能にすることができることが好ましい可能性がある。さらに、完全な自己相関関数、すなわち、ディラック関数またはクロネッカー符号を有する符号を使用することによって、時間領域チャネル推定および周波数領域チャネル推定を可能にすることが好ましい可能性がある。
【００６３】
例として、図９に示されるＣＥフィールド９００は、長さ２５６ゴレイ相補符号ペア（ａ２５６、ｂ２５６）を使用して構築されることが可能である。ＣＥフィールド９００は、ＳＣベースの伝送に関する要件を満たすことが可能である。図９に示されるとおり、長さ１２８チップのサイクリックプレフィックス９０２は、符号９０４の最後の１２８チップのコピーであることが可能である。サイクリックポストフィックス９０６は、符号９０４の最初の１２８チップのコピーであることが可能である。同一のアプローチが、符号９０８〜９１２に適用されることが可能である。ＣＥフィールド９００は、短いＣＥフィールドと呼ばれることが可能であり、ＣＥフィールド９００の長さは、１０２４チップであることが可能である。
【００６４】
図１０は、本開示のいくつかの態様によるＣＥフィールド（例えば、図９からのＣＥフィールド９００）を処理するための例示的な回路１０００を示す。回路１０００は、チャネル推定を獲得するために図４からの受信機４０２内で使用されることが可能である。プリアンブルのＣＥフィールド１００２が受信されると、ＣＥフィールド１００２は、時間領域においてさらに処理されることが可能である。詳細には、ＣＥフィールド１００２は、ゴレイ整合フィルタ１００４に入力されることが可能である。ゴレイ整合フィルタ出力１００６（すなわち、タイプａのゴレイ符号をもたらすブランチ）が、ゴレイ整合フィルタ出力１００８（すなわち、タイプｂのゴレイ符号をもたらすブランチを使用する）と組み合わされることが可能であり、出力１００８は、所定の時点でスイッチ１０１０を閉じることによって、出力１００６より例えば３８４チップ後にとられることが可能である。組み合わされた系列１０１２が、チャネル推定１０１６を獲得するようにチャネル推定ユニット１０１４によって処理されることが可能である。
【００６５】
別の態様において、ＣＥ系列フィールド１００２は、或る正しい時点でゴレイ整合フィルタ出力１００６のＦＦＴをゴレイ整合フィルタ出力１００８のＦＦＴに加えることによって周波数領域において処理されることが可能である。ＣＥ系列フィールド１００２は、２５６チップまでのインパルス応答長を有するマルチパスチャネルを推定するのに、同一の受信されたプリアンブルのＳＦＤフィールドと一緒に使用されることが可能である。
【００６６】
より長いＣＥフィールドが、低信号対雑音比（ＳＮＲ）において所望される可能性がある。この場合、相補ゴレイ符号ａ２５６およびｂ２５６は、複数回、繰り返されることが可能である。図１１は、２回の反復が使用される長いＣＥフィールド１１００の例を示す。
【００６７】
長さＮのクロネッカー符号（系列）またはディラック符号（系列）は、１つを除いてすべて０のエントリを有する系列であることが可能であることに留意されたい。例えば、符号［１  ０  ０  ０］は、最初のタップが０でない長さ４のクロネッカー符号である。他方、中央に位置付けられた０でないタップを有するクロネッカー符号は、エントリ番号Ｎ／２以外はすべてのエントリが０に設定されている系列である（例えば、Ｎ＝２の場合、［０  ０  １  ０］または［０  １  ０  ０］）。
【００６８】
図１２は、本開示のいくつかの態様による短いＣＥ／ＳＦＤフィールド１２０４を有するプリアンブル１２００を示す。また、プリアンブル１２００は、前に付加されたＳＹＮＣフィールド１２０２を備えることも可能である。ＣＥ／ＳＦＤフィールド１２０４は、ＳＣ伝送モードに特に適している可能性がある。ＣＥ／ＳＦＤフィールド１２０４は、長さ１０２４チップの長いＣＥフィールド１１００と比べて、より低いオーバーヘッドをもたらす６４０チップだけの長さを有することが可能である。
【００６９】
本開示のいくつかの態様は、中央に位置付けられたタップを有する２５６チップの持続時間にわたって完全なチャネル推定を可能にする短いＣＥフィールドの、異なる４つのパターンをサポートする。これらの４つのパターンは、以下のとおり定義されることが可能である。すなわち、
【数１】
2014060745.tif 000003
【００７０】
ただし、符号ａおよびｂは、長さ１２８チップのゴレイ相補符号ペアを指すことが可能であり、式（１）の各行における最初の１２８チップは、プレフィックスの役割をすることが可能であり、さらにＳＹＮＣフィールド１２０２の一部であることが可能である一方で、式（１）の各行における最後の１２８チップは、ポストフィックスの役割をすることが可能である。
【００７１】
例えば、式（１）からの最初のパターンが、図１２からのＣＥ／ＳＦＤフィールド１２０４を生成するのに使用されることが可能である。次に、符号１２０６が、拡張ゴレイ符号［＋ｂ  −ａ］に対応することが可能であり、符号１２０８が、拡張ゴレイ符号［＋ｂ  ＋ａ］に対応することが可能であり、さらに符号１２１０が、ゴレイ符号＋ｂに対応することが可能である。同様に、式（１）からの第４のパターンが使用される場合、符号１２０６は、［−ｂ  −ａ］に対応することが可能であり、符号１２０８は、［−ｂ  ＋ａ］に対応することが可能であり、さらに符号１２１０は、−ｂに対応することが可能である。
【００７２】
図１３は、本発明のいくつかの態様による短いＣＥ／ＳＦＤフィールド１３０４を有するプリアンブルフォーマット１３００を示す。プリアンブル１３００は、図１２からのプリアンブル１２００の一例であることが可能である。ＳＹＮＣフィールド１３０２の最後の部分は、＋ａ１２８ゴレイ符号に対応することが可能であるので、ＣＥ／ＳＦＤフィールド１３０４の最初の１２８チップは、ＳＹＮＣフィールド１３０２内の符号＋ａ１２８がＳＹＮＣフィールドとＣＥ／ＳＦＤフィールドの両方の一部分の役割をすることが可能であるため、飛ばされることが可能である。長いＣＥフィールドは、符号１３０６と符号１３０８の両方をＭ回、繰り返すことによって獲得されることが可能である。
【００７３】
符号１３０６および１３０８は、図１０に示されるとおり、受信されると、時間領域において処理されて、一緒に組み合わされることが可能であり、他方、ゴレイ整合フィルタ出力１００８は、ｂブランチから２５６チップ後にとられることが可能である（すなわち、スイッチ１０１０は、２５６チップの後に閉じられることが可能である）。すると、図１４に示される符号のとおりの、中央に位置付けられたタップを有するクロネッカー（ディラック）符号が獲得されることが可能である。
【００７４】
式（１）によって与えられるパターンのセットに関するメインチャネルタップは、中央に位置付けられることが可能である。メインチャネルタップが最初のタップであることが要求される場合、以下のパターンのうち１つが、ＣＥ／ＳＦＤフィールド１３０４に関して利用されることが可能である。すなわち、
【数２】
2014060745.tif 000004
【００７５】
この場合も、最初のゴレイ符号＋ａは、ＳＹＮＣフィールド１３０２の一部であることが可能である。その場合、短いＣＥ／ＳＦＤフィールド１３０４は、長さ７６８チップであることが可能である。式（２）によって与えられるパターンの１つがＣＥフィールドの構築のために使用される場合、単一のパスに関するチャネル推定は、図１５に示されるチャネル推定のとおり、獲得されることが可能である。
【００７６】
式（２）からの拡張ゴレイ符号ａ２５６は、２つの相補ゴレイ符号から成ることが可能である一方で、拡張ゴレイ符号ｂ２５６は、同一の、または場合により、別の２つの相補ゴレイ符号から構成されることが可能である。次に、長いＣＥフィールドが、拡張ゴレイ符号ａ２５６およびｂ２５６を複数回、繰り返すことによって構築されることが可能である。
【００７７】
本開示のいくつかの態様は、ＳＣベースの伝送をサポートすることも可能な、ＯＦＤＭ伝送モードに適した効率的なプリアンブル構造の設計および利用をサポートする。図１６は、この特定のプリアンブル構造１６００の例を示す。本開示のいくつかの態様は、中央に位置付けられたタップを有する長さ５１２チップの完全なチャネル推定を可能にすることができる、プリアンブル１６００の長いＣＥ／ＳＦＤフィールド１６０４に関する可能な１６のパターンの１つの利用をサポートする。これらの１６のパターンは、以下のとおり定義されることが可能である。すなわち、
【数３】
2014060745.tif 000005
【００７８】
本開示の好ましい態様において、式（３）の最初の２つのパターンが、長いＣＥ／ＳＦＤフィールド１６０４の生成のために利用されることが可能である。一態様において、パターン［プレフィックス  ａ５１２  ｂ５１２  ポストフィックス］は、ＳＣベースの伝送のために使用されることが可能であるのに対して、パターン［プレフィックス  ｂ５１２  ａ５１２  ポストフィックス］は、ＯＦＤＭベースの伝送のために使用されることが可能である。その場合、ａ５１２符号対ｂ５１２符号の検出が、受信されたプリアンブルがＳＣプリアンブルであるか、ＯＦＤＭプリアンブルであるかを識別することが可能である。また、ＳＹＮＣフィールド１６０２の最後のａ１２８符号は、ＣＥ／ＳＦＤフィールド１６０４のプレフィックス１６０６の一部分の役割をすることが可能であることにも留意されたい。
【００７９】
本開示のいくつかの態様は、最初の位置にメインタップを有する長さ５１２チップの完全なチャネル推定を可能にすることができる、プリアンブル１６００の長いＣＥ／ＳＦＤフィールド１６０４を生成するための可能な１６のパターンの１つの利用をサポートする。これらの１６のパターンは、以下のとおり定義されることが可能である。すなわち、
【数４】
2014060745.tif 000006
【００８０】
図１７は、本開示のいくつかの態様による伝送フレーム内のプリアンブル構造を設計するための例示的な動作１７００を示す。１７０２で、ＣＥフィールドを備えるプリアンブルが生成されることが可能であり、このＣＥフィールドは、ゴレイ相補符号のペアから定義されたパターンを備えることが可能である。１７０４で、このプリアンブルが、データペイロードの前に付加されることが可能である。１７０６で、プリアンブルと、データペイロードとを内部に有するパケットが、無線チャネルを介して送信されることが可能である。
【００８１】
図１８は、本開示のいくつかの態様によるチャネル推定を獲得するように、受信されたＣＥ系列フィールドを処理するための例示的な動作１８００を示す。１８０２で、無線チャネルを介して送信されたパケット内のＣＥフィールドが受信されることが可能であり、このＣＥフィールドは、ゴレイ相補符号のペアを使用することによって構築されている。１８０４で、受信されたＣＥフィールドが、ゴレイ相補符号のペアに関する整合フィルタを使用することによって処理されて、第１のフィルタ出力および第２のフィルタ出力が獲得されることが可能である。１８０６で、無線チャネルの推定が、第１のフィルタ出力と第２のフィルタ出力を組み合わせることによって獲得されることが可能である。
【００８２】
前述した方法の様々な動作は、対応する機能を実行することができる任意の適切な手段によって実行されることが可能である。この手段は、回路、特定用途向け集積回路（ＡＳＩＣ）、またはプロセッサを含むがそれだけに限定されない、様々なハードウェアおよび／またはソフトウェアの構成要素および／またはモジュールを含むことが可能である。一般に、図に示される動作が存在する場合、それらの動作は、同様の参照符号を有する、対応する、相当する手段プラス機能構成要素を有することが可能である。例えば、図７、図１７、および図１８に示されるブロック７０２〜７０４、１７０２〜１７０６、および１８０２〜１８０６は、図７Ａ、図１７Ａ、および図１８Ａに示される回路ブロック７０２Ａ〜７０４Ａ、１７０２Ａ〜１７０６Ａ、および１８０２Ａ〜１８０６Ａに対応する。
【００８３】
本明細書で使用される「決定すること」という用語は、多種多様な動作を包含する。例えば、「決定すること」は、計算すること、算出すること、処理すること、導き出すこと、調査すること、探索すること（例えば、テーブル、データベース、または別のデータ構造の中で探索すること）、確かめることなどを含むことが可能である。また、「決定すること」は、受け取ること（例えば、情報を受け取ること）、アクセスすること（例えば、メモリの中のデータにアクセスすること）などを含むことも可能である。また、「決定すること」は、解決すること、選択すること、選ぶこと、確立することなどを含むことが可能である。また、「決定すること」は、測定すること、推定することなどを含むことが可能である。
【００８４】
本明細書で使用される、項目のリストのうち「少なくとも１つ」に言及する句は、単独のメンバを含む、それらの項目の任意の組合せを指す。例として、「ａ、ｂ、またはｃのうち少なくとも１つ」は、ａ、ｂ、ｃ、ａ−ｂ、ａ−ｃ、ｂ−ｃ、およびａ−ｂ−ｃを範囲に含むことを意図している。
【００８５】
前述した方法の様々な動作は、様々なハードウェア構成要素および／またはソフトウェア構成要素、回路、および／またはモジュールなどの、それらの動作を実行することができる任意の適切な手段によって実行されることが可能である。一般に、図に示されるいずれの動作も、それらの動作を実行することができる、対応する機能手段によって実行されることが可能である。
【００８６】
本開示に関連して説明される様々な例示的な論理ブロック、モジュール、および回路は、汎用プロセッサ、ディジタル信号プロセッサ（ＤＳＰ）、特定用途向け集積回路（ＡＳＩＣ）、フィールドプログラマブルゲートアレー信号（ＦＰＧＡ）または他のプログラマブルロジックデバイス（ＰＬＤ）、ディスクリートのゲートもしくはトランジスタロジック、ディスクリートのハードウェア構成要素、あるいは本明細書で説明される機能を実行するように設計された以上の任意の組合せを使用して実施される、または実行されることが可能である。汎用プロセッサは、マイクロプロセッサであることが可能であるが、代替として、プロセッサは、任意の市販のプロセッサ、コントローラ、マイクロコントローラ、または状態マシンであってもよい。また、プロセッサは、コンピューティングデバイスの組合せ、例えば、ＤＳＰとマイクロプロセッサの組合せ、複数のマイクロプロセッサ、ＤＳＰコアと連携する１つまたは複数のマイクロプロセッサ、または他の任意のそのような構成として実施されることも可能である。
【００８７】
本開示に関連して説明される方法またはアルゴリズムのステップは、ハードウェアで直接に、プロセッサによって実行されるソフトウェアモジュールで、またはこの２つの組合せで実施されることが可能である。ソフトウェアモジュールは、当技術分野で知られている任意の形態の記憶媒体の中に存在することが可能である。使用されることが可能な記憶媒体のいくつかの例は、ランダムアクセスメモリ（ＲＡＭ）、読取り専用メモリ（ＲＯＭ）、フラッシュメモリ、ＥＰＲＯＭメモリ、ＥＥＰＲＯＭメモリ、レジスタ、ハードディスク、リムーバブルディスク、ＣＤ−ＲＯＭなどを含む。ソフトウェアモジュールは、単一の命令、または多数の命令を備えることが可能であり、さらに異なるいくつかのコードセグメントにわたって、異なるプログラムの間で、さらには複数の記憶媒体にまたがって分散させられてもよい。記憶媒体は、プロセッサが記憶媒体から情報を読み取ること、および記憶媒体に情報を書き込むことができるように、プロセッサに結合されることが可能である。代替として、記憶媒体は、プロセッサと一体化していてもよい。
【００８８】
本明細書で開示される方法は、説明される方法を実現するための１つまたは複数のステップまたはアクションを備える。これらの方法ステップおよび／またはアクションは、特許請求の範囲を逸脱することなく、互いに入れ替えられることが可能である。つまり、ステップまたはアクションの特定の順序が指定されていない限り、特定のステップおよび／またはアクションの順序および／または使用は、特許請求の範囲を逸脱することなく、変更されることが可能である。
【００８９】
説明される機能は、ハードウェアで、ソフトウェアで、ファームウェアで、または以上の任意の組合せで実施されることが可能である。ソフトウェアで実施される場合、これらの機能は、１つまたは複数の命令としてコンピュータ可読媒体上に格納されることが可能である。記憶媒体は、コンピュータによってアクセスされ得る任意の利用可能な媒体であることが可能である。例として、限定としてではなく、そのようなコンピュータ可読媒体は、ＲＡＭ、ＲＯＭ、ＥＥＰＲＯＭ、ＣＤ−ＲＯＭもしくは他の光ディスクストレージ、磁気ディスクストレージもしくは他の磁気ストレージデバイス、あるいは命令もしくはデータ構造の形態で所望されるプログラムコードを担持する、または格納するのに使用されることが可能であり、さらにコンピュータによってアクセスされ得る他の任意の媒体を備えることが可能である。本明細書で使用されるディスク（disk）およびディスク（disc）は、コンパクトディスク（ＣＤ）、レーザディスク、光ディスク、ディジタルバーサタイルディスク（ＤＶＤ）、フロッピー（登録商標）ディスク、およびＢｌｕ−ｒａｙ（登録商標）ディスクを含み、ディスク（disk）は、通常、データを磁気的に再現するのに対して、ディスク（disc）は、レーザを使用してデータを光学的に再現する。
【００９０】
このため、いくつかの態様は、本明細書で提示される動作を実行するためのコンピュータプログラム製品を備えることが可能である。例えば、そのようなコンピュータプログラム製品は、命令が格納されている（さらに／または符号化されている）コンピュータ可読媒体を備えることが可能であり、これらの命令は、本明細書で説明される動作を実行するように１つまたは複数のプロセッサによって実行可能である。いくつかの態様に関して、コンピュータプログラム製品は、実装材料を含むことが可能である。
【００９１】
ソフトウェアまたは命令は、伝送媒体を介して伝送されることも可能である。例えば、ソフトウェアがウェブサイト、サーバ、または他の遠隔ソースから、同軸ケーブル、光ファイバケーブル、より対線、ディジタル加入者線（ＤＳＬ）、あるいは赤外線、電波、またはマイクロ波などの無線技術を使用して伝送される場合、その同軸ケーブル、光ファイバケーブル、より対線、ＤＳＬ、あるいは赤外線、電波、またはマイクロ波などの無線技術が、伝送媒体の定義に含められる。
【００９２】
さらに、本明細書で説明される方法および技術を実行するためのモジュールおよび／または他の適切な手段は、適宜、ユーザ端末装置および／または基地局によってダウンロードされる、さらに／またはそれ以外で獲得されることが可能であることを認識されたい。例えば、そのようなデバイスは、本明細書で説明される方法を実行するための手段の転送を円滑にするようにサーバに結合されることが可能である。代替として、本明細書で説明される様々な方法は、ユーザ端末装置および／または基地局が、記憶媒体がそのデバイスに結合される、または提供されると、様々な方法を獲得することができるように、記憶媒体（例えば、ＲＡＭ、ＲＯＭ、あるいはＣＤ（コンパクトディスク）またはフロッピーディスクなどの物理的記憶媒体など）を介して提供されることが可能である。さらに、本明細書で説明される方法および技術をデバイスに提供するための他の任意の適切な技術が利用されることが可能である。
【００９３】
特許請求の範囲は、以上に説明される構成および構成要素そのものに限定されないことを理解されたい。様々な変形、変更、および改変が、特許請求の範囲を逸脱することなく、前述した方法および装置の構成、動作、および詳細において行われることが可能である。
【図１】
2014060745.tif 000007
【図２】
2014060745.tif 000008
【図３】
2014060745.tif 000009
【図４】
2014060745.tif 000010
【図５】
2014060745.tif 000011
【図６】
2014060745.tif 000012
【図７】
2014060745.tif 000013
【図７Ａ】
2014060745.tif 000014
【図８】
2014060745.tif 000015
【図９】
2014060745.tif 000016
【図１０】
2014060745.tif 000017
【図１１】
2014060745.tif 000018
【図１２】
2014060745.tif 000019
【図１３】
2014060745.tif 000020
【図１４】
2014060745.tif 000021
【図１５】
2014060745.tif 000022
【図１６】
2014060745.tif 000023
【図１７】
2014060745.tif 000024
【図１７Ａ】
2014060745.tif 000025
【図１８】
2014060745.tif 000026
【図１８Ａ】
2014060745.tif 000027
【手続補正書】
【提出日】平成25年11月22日(2013.11.22)
【手続補正１】
【補正対象書類名】特許請求の範囲
【補正対象項目名】全文
【補正方法】変更
【補正の内容】
【特許請求の範囲】
【請求項１】
長さ２ｍの第１のゴレイ符号と、長さ２ｎの第２のゴレイ符号とを少なくとも備える、少なくとも長さ２ｍ＋２ｎの少なくとも１つの拡張ゴレイ符号を獲得すること、少なくとも前記第１のゴレイ符号及び前記第２のゴレイ符号は、定義されたパターンの組から選択されたパターンにしたがって位置され、および
前記少なくとも１つの拡張ゴレイ符号を使用してパケットを生成することを備える無線通信のための方法。
【請求項２】
前記少なくとも１つの拡張ゴレイ符号を獲得することは、前記ゴレイ符号の少なくとも１つを生成するように構成された少なくとも１つの整合フィルタを使用することを備える請求項１に記載の方法。
【請求項３】
前記少なくとも１つの拡張ゴレイ符号を獲得することは、メモリから前記少なくとも１つの拡張ゴレイ符号を取り出すことを備える請求項１に記載の方法。
【請求項４】
前記少なくとも１つの拡張ゴレイ符号を獲得することは、装置から前記少なくとも１つの拡張ゴレイ符号を受け取ることを備える請求項１に記載の方法。
【請求項５】
前記第１のゴレイ符号は、前記第２のゴレイ符号の前に付加される請求項１に記載の方法。
【請求項６】
前記パケットの前記生成は、前記パケットのヘッダフィールドまたはペイロードフィールドのうち少なくとも１つのデータを拡散させるように前記少なくとも１つの拡張ゴレイ符号を使用することを備える請求項１に記載の方法。
【請求項７】
前記パケットは、前記少なくとも１つの拡張ゴレイ符号が中に挿入されているプリアンブルを備える請求項１に記載の方法。
【請求項８】
前記プリアンブルの同期フィールド、開始フレーム区切り記号フィールド、またはチャネル推定フィールドのうち少なくとも１つは、前記少なくとも１つの拡張ゴレイ符号を備える請求項７に記載の方法。
【請求項９】
前記パケットのヘッダフィールドまたはペイロードフィールドのうち少なくとも１つの中に前記少なくとも１つの拡張ゴレイ符号を挿入することをさらに備える請求項１に記載の方法。
【請求項１０】
前記少なくとも１つの拡張ゴレイ符号は、異なる長さ、または同一の長さを有する少なくとも２つの拡張ゴレイ符号を備える請求項１に記載の方法。
【請求項１１】
前記少なくとも１つの拡張ゴレイ符号は、相補的である少なくとも２つの拡張ゴレイ符号を備える請求項１に記載の方法。
【請求項１２】
長さ２ｍの第１のゴレイ符号と、長さ２ｎの第２のゴレイ符号とを少なくとも備える、少なくとも長さ２ｍ＋２ｎの少なくとも１つの拡張ゴレイ符号を獲得するように構成されたモジュールと、少なくとも前記第１のゴレイ符号及び前記第２のゴレイ符号は、定義されたパターンの組から選択されたパターンにしたがって位置され、
前記少なくとも１つの拡張ゴレイ符号を使用してパケットを生成するように構成されたジェネレータとを備える無線通信のための装置。
【請求項１３】
前記モジュールは、前記ゴレイ符号の少なくとも１つを生成するように構成された少なくとも１つの整合フィルタを使用するようにも構成される請求項１２に記載の装置。
【請求項１４】
前記モジュールは、メモリから前記少なくとも１つの拡張ゴレイ符号を取り出すようにも構成される請求項１２に記載の装置。
【請求項１５】
前記モジュールは、別の装置から前記少なくとも１つの拡張ゴレイ符号を受け取るようにも構成される請求項１２に記載の装置。
【請求項１６】
前記第１のゴレイ符号は、前記第２のゴレイ符号の前に付加される請求項１２に記載の装置。
【請求項１７】
前記ジェネレータは、前記パケットのヘッダフィールドまたはペイロードフィールドのうち少なくとも１つのデータを拡散させるように前記少なくとも１つの拡張ゴレイ符号を使用するようにも構成される請求項１２に記載の装置。
【請求項１８】
前記パケットは、前記少なくとも１つの拡張ゴレイ符号が中に挿入されているプリアンブルを備える請求項１２に記載の装置。
【請求項１９】
前記プリアンブルの同期フィールド、開始フレーム区切り記号フィールド、またはチャネル推定フィールドのうち少なくとも１つは、前記少なくとも１つの拡張ゴレイ符号を備える請求項１８に記載の装置。
【請求項２０】
前記パケットのヘッダフィールドまたはペイロードフィールドのうち少なくとも１つの中に前記少なくとも１つの拡張ゴレイ符号を挿入するように構成された回路をさらに備える請求項１２に記載の装置。
【請求項２１】
前記少なくとも１つの拡張ゴレイ符号は、異なる長さ、または同一の長さを有する少なくとも２つの拡張ゴレイ符号を備える請求項１２に記載の装置。
【請求項２２】
前記少なくとも１つの拡張ゴレイ符号は、相補的である少なくとも２つの拡張ゴレイ符号を備える請求項１２に記載の装置。
【請求項２３】
長さ２ｍの第１のゴレイ符号と、長さ２ｎの第２のゴレイ符号とを少なくとも備える、少なくとも長さ２ｍ＋２ｎの少なくとも１つの拡張ゴレイ符号を獲得するための手段と、少なくとも前記第１のゴレイ符号及び前記第２のゴレイ符号は、定義されたパターンの組から選択されたパターンにしたがって位置され、
前記少なくとも１つの拡張ゴレイ符号を使用してパケットを生成するための手段とを備える無線通信のための装置。
【請求項２４】
前記少なくとも１つの拡張ゴレイ符号を獲得するための手段は、前記ゴレイ符号の少なくとも１つを生成するように構成された少なくとも１つの整合フィルタを使用するための手段を備える請求項２３に記載の装置。
【請求項２５】
前記少なくとも１つの拡張ゴレイ符号を獲得するための手段は、メモリから前記少なくとも１つの拡張ゴレイ符号を取り出すための手段を備える請求項２３に記載の装置。
【請求項２６】
前記少なくとも１つの拡張ゴレイ符号を獲得するための手段は、装置から前記少なくとも１つの拡張ゴレイ符号を受け取るための手段を備える請求項２３に記載の装置。
【請求項２７】
前記第１のゴレイ符号は、前記第２のゴレイ符号の前に付加される請求項２３に記載の装置。
【請求項２８】
前記パケットを前記生成するための手段は、前記パケットのヘッダフィールドまたはペイロードフィールドのうち少なくとも１つのデータを拡散させるように前記少なくとも１つの拡張ゴレイ符号を使用するための手段を備える請求項２３に記載の装置。
【請求項２９】
前記パケットは、前記少なくとも１つの拡張ゴレイ符号が中に挿入されているプリアンブルを備える請求項２３に記載の装置。
【請求項３０】
前記プリアンブルの同期フィールド、開始フレーム区切り記号フィールド、またはチャネル推定フィールドのうち少なくとも１つは、前記少なくとも１つの拡張ゴレイ符号を備える請求項２９に記載の装置。
【請求項３１】
前記パケットのヘッダフィールドまたはペイロードフィールドのうち少なくとも１つの中に前記少なくとも１つの拡張ゴレイ符号を挿入するための手段をさらに備える請求項２３に記載の装置。
【請求項３２】
前記少なくとも１つの拡張ゴレイ符号は、異なる長さ、または同一の長さを有する少なくとも２つの拡張ゴレイ符号を備える請求項２３に記載の装置。
【請求項３３】
前記少なくとも１つの拡張ゴレイ符号は、相補的である少なくとも２つの拡張ゴレイ符号を備える請求項２３に記載の装置。
【請求項３４】
長さ２ｍの第１のゴレイ符号と、長さ２ｎの第２のゴレイ符号とを少なくとも備える、少なくとも長さ２ｍ＋２ｎの少なくとも１つの拡張ゴレイ符号を獲得し、少なくとも前記第１のゴレイ符号及び前記第２のゴレイ符号は、定義されたパターンの組から選択されたパターンにしたがって位置され、さらに
前記少なくとも１つの拡張ゴレイ符号を使用してパケットを生成するように実行可能な命令を備える無線通信のためのコンピュータプログラム。
【請求項３５】
少なくとも１つのアンテナと、
長さ２ｍの第１のゴレイ符号と、長さ２ｎの第２のゴレイ符号とを少なくとも備える、少なくとも長さ２ｍ＋２ｎの少なくとも１つの拡張ゴレイ符号を獲得するように構成されたモジュールと、少なくとも前記第１のゴレイ符号及び前記第２のゴレイ符号は、定義されたパターンの組から選択されたパターンにしたがって位置され、
前記少なくとも１つの拡張ゴレイ符号を使用してパケットを生成するように構成されたジェネレータと、
前記生成されたパケットを、前記少なくとも１つのアンテナを介して送信するように構成された送信機とを備える無線ノード。
【請求項３６】
ゴレイ相補符号のペアから定義されるパターンを備えるチャネル推定（ＣＥ）フィールドを備えるプリアンブルを生成すること、前記パターンは、定義されたパターンの組から選択され、
前記プリアンブルをデータペイロードの前に付加すること、および
前記プリアンブルと、前記データペイロードとを内部に有するパケットを送信することを備える無線通信のための方法。
【請求項３７】
前記生成することは、前記パターンを、定義された４つのパターンのセットから選択することを備え、前記ゴレイ相補符号は、１２８チップという長さを有し、さらに前記ＣＥフィールドは、２５６チップの持続時間にわたってチャネル推定を可能にする請求項３６に記載の方法。
【請求項３８】
前記生成することは、前記パターンを、定義された１６のパターンのセットから選択することを備え、前記ゴレイ相補符号は、１２８チップという長さを有し、さらに前記ＣＥフィールドは、５１２チップの持続時間にわたってチャネル推定を可能にする請求項３６に記載の方法。
【請求項３９】
前記プリアンブルは、ゴレイ相補符号の前記ペアから生成された同期（ＳＹＮＣ）フィールドを備える請求項３６に記載の方法。
【請求項４０】
ゴレイ相補符号のペアから定義されるパターンを備えるチャネル推定（ＣＥ）フィールドを備えるプリアンブルを生成するように構成されたジェネレータと、前記パターンは、定義されたパターンの組から選択され、
前記プリアンブルをデータペイロードの前に付加するように構成された回路と、
前記プリアンブルと、前記データペイロードとを内部に有するパケットを送信するように構成された送信機とを備える無線通信のための装置。
【請求項４１】
前記ジェネレータは、前記パターンを、定義された４つのパターンのセットから選択するようにも構成され、前記ゴレイ相補符号は、１２８チップという長さを有し、さらに前記ＣＥフィールドは、２５６チップの持続時間にわたってチャネル推定を可能にする請求項４０に記載の装置。
【請求項４２】
前記ジェネレータは、前記パターンを、定義された１６のパターンのセットから選択するようにも構成され、前記ゴレイ相補符号は、１２８チップという長さを有し、さらに前記ＣＥフィールドは、５１２チップの持続時間にわたってチャネル推定を可能にする請求項４０に記載の装置。
【請求項４３】
前記プリアンブルは、ゴレイ相補符号の前記ペアから生成された同期（ＳＹＮＣ）フィールドを備える請求項４０に記載の装置。
【請求項４４】
ゴレイ相補符号のペアから定義されるパターンを備えるチャネル推定（ＣＥ）フィールドを備えるプリアンブルを生成するための手段と、前記パターンは、定義されたパターンの組から選択され、
前記プリアンブルをデータペイロードの前に付加するための手段と、
前記プリアンブルと、前記データペイロードとを内部に有するパケットを送信するための手段とを備える無線通信のための装置。
【請求項４５】
前記生成することは、前記パターンを、定義された４つのパターンのセットから選択するための手段を備え、前記ゴレイ相補符号は、１２８チップという長さを有し、さらに前記ＣＥフィールドは、２５６チップの持続時間にわたってチャネル推定を可能にする請求項４４に記載の装置。
【請求項４６】
前記生成することは、前記パターンを、定義された１６のパターンのセットから選択するための手段を備え、前記ゴレイ相補符号は、１２８チップという長さを有し、さらに前記ＣＥフィールドは、５１２チップの持続時間にわたってチャネル推定を可能にする請求項４４に記載の装置。
【請求項４７】
前記プリアンブルは、ゴレイ相補符号の前記ペアから生成された同期（ＳＹＮＣ）フィールドを備える請求項４４に記載の装置。
【請求項４８】
ゴレイ相補符号のペアから定義されるパターンを備えるチャネル推定（ＣＥ）フィールドを備えるプリアンブルを生成し、前記パターンは、定義されたパターンの組から選択され、
前記プリアンブルをデータペイロードの前に付加し、さらに
前記プリアンブルと、前記データペイロードとを内部に有するパケットを送信するように実行可能な命令を備える無線通信のためのコンピュータプログラム。
【請求項４９】
少なくとも１つのアンテナと、
ゴレイ相補符号のペアから定義されるパターンを備えるチャネル推定（ＣＥ）フィールドを備えるプリアンブルを生成するように構成されたジェネレータと、前記パターンは、定義されたパターンの組から選択され、
前記プリアンブルをデータペイロードの前に付加するように構成された回路と、
前記プリアンブルと、前記データペイロードとを内部に有するパケットを、前記少なくとも１つのアンテナを介して送信するように構成された送信機とを備える無線ノード。
【請求項５０】
ゴレイ相補符号のペアによって定義されたパターンを使用することによって構築された、無線チャネルを介して送信されたチャネル推定（ＣＥ）フィールドを受信すること、前記パターンは、定義されたパターンの組から選択され、
前記受信されたＣＥフィールドを、ゴレイ相補符号の前記ペアに関連する整合フィルタを使用することによって処理して、第１のフィルタ出力および第２のフィルタ出力を獲得すること、および
前記第１のフィルタ出力と前記第２のフィルタ出力とを組み合わせることによって、前記無線チャネルを推定することを備える無線通信のための方法。
【請求項５１】
前記無線チャネルを推定することは、前記第１のフィルタ出力の高速フーリエ変換（ＦＦＴ）と前記第２のフィルタ出力のＦＦＴを組み合わせることを備える請求項５０に記載の方法。
【請求項５２】
ゴレイ相補符号のペアによって定義されたパターンを使用することによって構築された、無線チャネルを介して送信されたチャネル推定（ＣＥ）フィールドを受信するように構成された受信機と、前記パターンは、定義されたパターンの組から選択され、
前記受信されたＣＥフィールドを、ゴレイ相補符号の前記ペアに関連する整合フィルタを使用することによって処理して、第１のフィルタ出力および第２のフィルタ出力を獲得するように構成されたプロセッサと、
前記第１のフィルタ出力と前記第２のフィルタ出力とを組み合わせることによって、前記無線チャネルを推定するように構成されたエスティメータとを備える無線通信のための装置。
【請求項５３】
前記エスティメータは、前記第１のフィルタ出力の高速フーリエ変換（ＦＦＴ）と前記第２のフィルタ出力のＦＦＴを組み合わせるようにも構成される請求項５２に記載の装置。
【請求項５４】
ゴレイ相補符号のペアによって定義されたパターンを使用することによって構築された、無線チャネルを介して送信されたチャネル推定（ＣＥ）フィールドを受信するための手段と、前記パターンは、定義されたパターンの組から選択され、
前記受信されたＣＥフィールドを、ゴレイ相補符号の前記ペアに関連する整合フィルタを使用することによって処理して、第１のフィルタ出力および第２のフィルタ出力を獲得するための手段と、
前記第１のフィルタ出力と前記第２のフィルタ出力とを組み合わせることによって、前記無線チャネルを推定するための手段とを備える無線通信のための装置。
【請求項５５】
前記無線チャネルを前記推定するための手段は、前記第１のフィルタ出力の高速フーリエ変換（ＦＦＴ）と前記第２のフィルタ出力のＦＦＴを組み合わせるための手段を備える請求項５４に記載の装置。
【請求項５６】
ゴレイ相補符号のペアによって定義されたパターンを使用することによって構築された、無線チャネルを介して送信されたチャネル推定（ＣＥ）フィールドを受信し、前記パターンは、定義されたパターンの組から選択され、
前記受信されたＣＥフィールドを、ゴレイ相補符号の前記ペアに関連する整合フィルタを使用することによって処理して、第１のフィルタ出力および第２のフィルタ出力を獲得し、さらに
前記第１のフィルタ出力と前記第２のフィルタ出力とを組み合わせることによって、前記無線チャネルを推定するように実行可能な命令を備える無線通信のためのコンピュータプログラム。
【請求項５７】
少なくとも１つのアンテナと、
ゴレイ相補符号のペアによって定義されたパターンを使用することによって構築された、無線チャネルを介して送信されたチャネル推定（ＣＥ）フィールドを、前記少なくとも１つのアンテナを介して受信するように構成された受信機と、前記パターンは、定義されたパターンの組から選択され、
前記受信されたＣＥフィールドを、ゴレイ相補符号の前記ペアに関連する整合フィルタを使用することによって処理して、第１のフィルタ出力および第２のフィルタ出力を獲得するように構成されたプロセッサと、
前記第１のフィルタ出力と前記第２のフィルタ出力とを組み合わせることによって、前記無線チャネルを推定するように構成されたエスティメータとを備える無線ノード。
【手続補正２】
【補正対象書類名】明細書
【補正対象項目名】００９３
【補正方法】変更
【補正の内容】
【００９３】
特許請求の範囲は、以上に説明される構成および構成要素そのものに限定されないことを理解されたい。様々な変形、変更、および改変が、特許請求の範囲を逸脱することなく、前述した方法および装置の構成、動作、および詳細において行われることが可能である。
以下に、本願出願の当初の特許請求の範囲に記載された発明を付記する。
［１］
長さ２ｍの第１のゴレイ符号と、長さ２ｎの第２のゴレイ符号とを少なくとも備える、少なくとも長さ２ｍ＋２ｎの少なくとも１つの拡張ゴレイ符号を獲得すること、および
前記少なくとも１つの拡張ゴレイ符号を使用してパケットを生成することを備える無線通信のための方法。
［２］
前記少なくとも１つの拡張ゴレイ符号を獲得することは、前記ゴレイ符号の少なくとも１つを生成するように構成された少なくとも１つの整合フィルタを使用することを備える［１］に記載の方法。
［３］
前記少なくとも１つの拡張ゴレイ符号を獲得することは、メモリから前記少なくとも１つの拡張ゴレイ符号を取り出すことを備える［１］に記載の方法。
［４］
前記少なくとも１つの拡張ゴレイ符号を獲得することは、装置から前記少なくとも１つの拡張ゴレイ符号を受け取ることを備える［１］に記載の方法。
［５］
前記第１のゴレイ符号は、前記第２のゴレイ符号の前に付加される［１］に記載の方法。
［６］
前記パケットの前記生成は、前記パケットのヘッダフィールドまたはペイロードフィールドのうち少なくとも１つのデータを拡散させるように前記少なくとも１つの拡張ゴレイ符号を使用することを備える［１］に記載の方法。
［７］
前記パケットは、前記少なくとも１つの拡張ゴレイ符号が中に挿入されているプリアンブルを備える［１］に記載の方法。
［８］
前記プリアンブルの同期フィールド、開始フレーム区切り記号フィールド、またはチャネル推定フィールドのうち少なくとも１つは、前記少なくとも１つの拡張ゴレイ符号を備える［７］に記載の方法。
［９］
前記パケットのヘッダフィールドまたはペイロードフィールドのうち少なくとも１つの中に前記少なくとも１つの拡張ゴレイ符号を挿入することをさらに備える［１］に記載の方法。
［１０］
前記少なくとも１つの拡張ゴレイ符号は、異なる長さ、または同一の長さを有する少なくとも２つの拡張ゴレイ符号を備える［１］に記載の方法。
［１１］
前記少なくとも１つの拡張ゴレイ符号は、相補的である少なくとも２つの拡張ゴレイ符号を備える［１］に記載の方法。
［１２］
長さ２ｍの第１のゴレイ符号と、長さ２ｎの第２のゴレイ符号とを少なくとも備える、少なくとも長さ２ｍ＋２ｎの少なくとも１つの拡張ゴレイ符号を獲得するように構成されたモジュールと、
前記少なくとも１つの拡張ゴレイ符号を使用してパケットを生成するように構成されたジェネレータとを備える無線通信のための装置。
［１３］
前記モジュールは、前記ゴレイ符号の少なくとも１つを生成するように構成された少なくとも１つの整合フィルタを使用するようにも構成される［１２］に記載の装置。
［１４］
前記モジュールは、メモリから前記少なくとも１つの拡張ゴレイ符号を取り出すようにも構成される［１２］に記載の装置。
［１５］
前記モジュールは、別の装置から前記少なくとも１つの拡張ゴレイ符号を受け取るようにも構成される［１２］に記載の装置。
［１６］
前記第１のゴレイ符号は、前記第２のゴレイ符号の前に付加される［１２］に記載の装置。
［１７］
前記ジェネレータは、前記パケットのヘッダフィールドまたはペイロードフィールドのうち少なくとも１つのデータを拡散させるように前記少なくとも１つの拡張ゴレイ符号を使用するようにも構成される［１２］に記載の装置。
［１８］
前記パケットは、前記少なくとも１つの拡張ゴレイ符号が中に挿入されているプリアンブルを備える［１２］に記載の装置。
［１９］
前記プリアンブルの同期フィールド、開始フレーム区切り記号フィールド、またはチャネル推定フィールドのうち少なくとも１つは、前記少なくとも１つの拡張ゴレイ符号を備える［１８］に記載の装置。
［２０］
前記パケットのヘッダフィールドまたはペイロードフィールドのうち少なくとも１つの中に前記少なくとも１つの拡張ゴレイ符号を挿入するように構成された回路をさらに備える［１２］に記載の装置。
［２１］
前記少なくとも１つの拡張ゴレイ符号は、異なる長さ、または同一の長さを有する少なくとも２つの拡張ゴレイ符号を備える［１２］に記載の装置。
［２２］
前記少なくとも１つの拡張ゴレイ符号は、相補的である少なくとも２つの拡張ゴレイ符号を備える［１２］に記載の装置。
［２３］
長さ２ｍの第１のゴレイ符号と、長さ２ｎの第２のゴレイ符号とを少なくとも備える、少なくとも長さ２ｍ＋２ｎの少なくとも１つの拡張ゴレイ符号を獲得するための手段と、
前記少なくとも１つの拡張ゴレイ符号を使用してパケットを生成するための手段とを備える無線通信のための装置。
［２４］
前記少なくとも１つの拡張ゴレイ符号を獲得するための手段は、前記ゴレイ符号の少なくとも１つを生成するように構成された少なくとも１つの整合フィルタを使用するための手段を備える［２３］に記載の装置。
［２５］
前記少なくとも１つの拡張ゴレイ符号を獲得するための手段は、メモリから前記少なくとも１つの拡張ゴレイ符号を取り出すための手段を備える［２３］に記載の装置。
［２６］
前記少なくとも１つの拡張ゴレイ符号を獲得するための手段は、装置から前記少なくとも１つの拡張ゴレイ符号を受け取るための手段を備える［２３］に記載の装置。
［２７］
前記第１のゴレイ符号は、前記第２のゴレイ符号の前に付加される［２３］に記載の装置。
［２８］
前記パケットを前記生成するための手段は、前記パケットのヘッダフィールドまたはペイロードフィールドのうち少なくとも１つのデータを拡散させるように前記少なくとも１つの拡張ゴレイ符号を使用するための手段を備える［２３］に記載の装置。
［２９］
前記パケットは、前記少なくとも１つの拡張ゴレイ符号が中に挿入されているプリアンブルを備える［２３］に記載の装置。
［３０］
前記プリアンブルの同期フィールド、開始フレーム区切り記号フィールド、またはチャネル推定フィールドのうち少なくとも１つは、前記少なくとも１つの拡張ゴレイ符号を備える［２９］に記載の装置。
［３１］
前記パケットのヘッダフィールドまたはペイロードフィールドのうち少なくとも１つの中に前記少なくとも１つの拡張ゴレイ符号を挿入するための手段をさらに備える［２３］に記載の装置。
［３２］
前記少なくとも１つの拡張ゴレイ符号は、異なる長さ、または同一の長さを有する少なくとも２つの拡張ゴレイ符号を備える［２３］に記載の装置。
［３３］
前記少なくとも１つの拡張ゴレイ符号は、相補的である少なくとも２つの拡張ゴレイ符号を備える［２３］に記載の装置。
［３４］
長さ２ｍの第１のゴレイ符号と、長さ２ｎの第２のゴレイ符号とを少なくとも備える、少なくとも長さ２ｍ＋２ｎの少なくとも１つの拡張ゴレイ符号を獲得し、さらに
前記少なくとも１つの拡張ゴレイ符号を使用してパケットを生成するように実行可能な命令を備えるコンピュータ可読媒体を備える無線通信のためのコンピュータプログラム製品。
［３５］
少なくとも１つのアンテナと、
長さ２ｍの第１のゴレイ符号と、長さ２ｎの第２のゴレイ符号とを少なくとも備える、少なくとも長さ２ｍ＋２ｎの少なくとも１つの拡張ゴレイ符号を獲得するように構成されたモジュールと、
前記少なくとも１つの拡張ゴレイ符号を使用してパケットを生成するように構成されたジェネレータと、
前記生成されたパケットを、前記少なくとも１つのアンテナを介して送信するように構成された送信機とを備える無線ノード。
［３６］
ゴレイ相補符号のペアから定義されるパターンを備えるチャネル推定（ＣＥ）フィールドを備えるプリアンブルを生成すること、
前記プリアンブルをデータペイロードの前に付加すること、および
前記プリアンブルと、前記データペイロードとを内部に有するパケットを送信することを備える無線通信のための方法。
［３７］
前記生成することは、前記パターンを、定義された４つのパターンのセットから選択することを備え、前記ゴレイ相補符号は、１２８チップという長さを有し、さらに前記ＣＥフィールドは、２５６チップの持続時間にわたってチャネル推定を可能にする［３６］に記載の方法。
［３８］
前記生成することは、前記パターンを、定義された１６のパターンのセットから選択することを備え、前記ゴレイ相補符号は、１２８チップという長さを有し、さらに前記ＣＥフィールドは、５１２チップの持続時間にわたってチャネル推定を可能にする［３６］に記載の方法。
［３９］
前記プリアンブルは、ゴレイ相補符号の前記ペアから生成された同期（ＳＹＮＣ）フィールドを備える［３６］に記載の方法。
［４０］
ゴレイ相補符号のペアから定義されるパターンを備えるチャネル推定（ＣＥ）フィールドを備えるプリアンブルを生成するように構成されたジェネレータと、
前記プリアンブルをデータペイロードの前に付加するように構成された回路と、
前記プリアンブルと、前記データペイロードとを内部に有するパケットを送信するように構成された送信機とを備える無線通信のための装置。
［４１］
前記ジェネレータは、前記パターンを、定義された４つのパターンのセットから選択するようにも構成され、前記ゴレイ相補符号は、１２８チップという長さを有し、さらに前記ＣＥフィールドは、２５６チップの持続時間にわたってチャネル推定を可能にする［４０］に記載の装置。
［４２］
前記ジェネレータは、前記パターンを、定義された１６のパターンのセットから選択するようにも構成され、前記ゴレイ相補符号は、１２８チップという長さを有し、さらに前記ＣＥフィールドは、５１２チップの持続時間にわたってチャネル推定を可能にする［４０］に記載の装置。
［４３］
前記プリアンブルは、ゴレイ相補符号の前記ペアから生成された同期（ＳＹＮＣ）フィールドを備える［４０］に記載の装置。
［４４］
ゴレイ相補符号のペアから定義されるパターンを備えるチャネル推定（ＣＥ）フィールドを備えるプリアンブルを生成するための手段と、
前記プリアンブルをデータペイロードの前に付加するための手段と、
前記プリアンブルと、前記データペイロードとを内部に有するパケットを送信するための手段とを備える無線通信のための装置。
［４５］
前記生成することは、前記パターンを、定義された４つのパターンのセットから選択するための手段を備え、前記ゴレイ相補符号は、１２８チップという長さを有し、さらに前記ＣＥフィールドは、２５６チップの持続時間にわたってチャネル推定を可能にする［４４］に記載の装置。
［４６］
前記生成することは、前記パターンを、定義された１６のパターンのセットから選択するための手段を備え、前記ゴレイ相補符号は、１２８チップという長さを有し、さらに前記ＣＥフィールドは、５１２チップの持続時間にわたってチャネル推定を可能にする［４４］に記載の装置。
［４７］
前記プリアンブルは、ゴレイ相補符号の前記ペアから生成された同期（ＳＹＮＣ）フィールドを備える［４４］に記載の装置。
［４８］
ゴレイ相補符号のペアから定義されるパターンを備えるチャネル推定（ＣＥ）フィールドを備えるプリアンブルを生成し、
前記プリアンブルをデータペイロードの前に付加し、さらに
前記プリアンブルと、前記データペイロードとを内部に有するパケットを送信するように実行可能な命令を備えるコンピュータ可読媒体を備える無線通信のためのコンピュータプログラム製品。
［４９］
少なくとも１つのアンテナと、
ゴレイ相補符号のペアから定義されるパターンを備えるチャネル推定（ＣＥ）フィールドを備えるプリアンブルを生成するように構成されたジェネレータと、
前記プリアンブルをデータペイロードの前に付加するように構成された回路と、
前記プリアンブルと、前記データペイロードとを内部に有するパケットを、前記少なくとも１つのアンテナを介して送信するように構成された送信機とを備える無線ノード。
［５０］
ゴレイ相補符号のペアを使用することによって構築された、無線チャネルを介して送信されたチャネル推定（ＣＥ）フィールドを受信すること、
前記受信されたＣＥフィールドを、ゴレイ相補符号の前記ペアに関連する整合フィルタを使用することによって処理して、第１のフィルタ出力および第２のフィルタ出力を獲得すること、および
前記第１のフィルタ出力と前記第２のフィルタ出力とを組み合わせることによって、前記無線チャネルを推定することを備える無線通信のための方法。
［５１］
前記無線チャネルを推定することは、前記第１のフィルタ出力の高速フーリエ変換（ＦＦＴ）と前記第２のフィルタ出力のＦＦＴを組み合わせることを備える［５０］に記載の方法。
［５２］
ゴレイ相補符号のペアを使用することによって構築された、無線チャネルを介して送信されたチャネル推定（ＣＥ）フィールドを受信するように構成された受信機と、
前記受信されたＣＥフィールドを、ゴレイ相補符号の前記ペアに関連する整合フィルタを使用することによって処理して、第１のフィルタ出力および第２のフィルタ出力を獲得するように構成されたプロセッサと、
前記第１のフィルタ出力と前記第２のフィルタ出力とを組み合わせることによって、前記無線チャネルを推定するように構成されたエスティメータとを備える無線通信のための装置。
［５３］
前記エスティメータは、前記第１のフィルタ出力の高速フーリエ変換（ＦＦＴ）と前記第２のフィルタ出力のＦＦＴを組み合わせるようにも構成される［５２］に記載の装置。
［５４］
ゴレイ相補符号のペアを使用することによって構築された、無線チャネルを介して送信されたチャネル推定（ＣＥ）フィールドを受信するための手段と、
前記受信されたＣＥフィールドを、ゴレイ相補符号の前記ペアに関連する整合フィルタを使用することによって処理して、第１のフィルタ出力および第２のフィルタ出力を獲得するための手段と、
前記第１のフィルタ出力と前記第２のフィルタ出力とを組み合わせることによって、前記無線チャネルを推定するための手段とを備える無線通信のための装置。
［５５］
前記無線チャネルを前記推定するための手段は、前記第１のフィルタ出力の高速フーリエ変換（ＦＦＴ）と前記第２のフィルタ出力のＦＦＴを組み合わせるための手段を備える［５４］に記載の装置。
［５６］
ゴレイ相補符号のペアを使用することによって構築された、無線チャネルを介して送信されたチャネル推定（ＣＥ）フィールドを受信し、
前記受信されたＣＥフィールドを、ゴレイ相補符号の前記ペアに関連する整合フィルタを使用することによって処理して、第１のフィルタ出力および第２のフィルタ出力を獲得し、さらに
前記第１のフィルタ出力と前記第２のフィルタ出力とを組み合わせることによって、前記無線チャネルを推定するように実行可能な命令を備えるコンピュータ可読媒体を備える無線通信のためのコンピュータプログラム製品。
［５７］
少なくとも１つのアンテナと、
ゴレイ相補符号のペアを使用することによって構築された、無線チャネルを介して送信されたチャネル推定（ＣＥ）フィールドを、前記少なくとも１つのアンテナを介して受信するように構成された受信機と、
前記受信されたＣＥフィールドを、ゴレイ相補符号の前記ペアに関連する整合フィルタを使用することによって処理して、第１のフィルタ出力および第２のフィルタ出力を獲得するように構成されたプロセッサと、
前記第１のフィルタ出力と前記第２のフィルタ出力とを組み合わせることによって、前記無線チャネルを推定するように構成されたエスティメータとを備える無線ノード。
【外国語明細書】
2014060745000001.pdf